(57)【要約】無線デバイスのカバレッジレベルに関連付けられ報告設定を決定するシステムと方法が提供される。  一例示的実施形態では、無線通信システム（１００）における無線デバイス（１０５，２００，３００，４００，１０００）によって実行される方法は、無線デバイスのカバレッジレベル（１１３ａ〜１１３ｄ）を示す情報を取得すること（５０３）を含む。   更に、方法は、無線デバイスの異なるカバレッジレベルにそれぞれ関連付けられた異なる複数の報告設定（１１５ａ〜１１５ｄ）の中から、取得された情報によって示されるカバレッジレベルに関連付けられた報告設定を決定すること（５０７）を含む。また、方法は、決定された報告設定を用いて測定結果を報告すること（５１１）を含む。【選択図】図１
2019522928.tif 000002
【特許請求の範囲】
【請求項１】
無線通信システム（１００）における無線デバイス（１０５，２００，３００，４００，１０００）により実行される方法であって、
前記無線デバイスのカバレッジレベル（１１３ａ〜１１３ｄ）を示す情報を取得すること（５０３）と、
前記無線デバイスの異なるカバレッジレベルにそれぞれ関連付けられた異なる複数の報告設定（１１５ａ〜１１５ｄ）の中から、前記取得された情報により示される前記カバレッジレベルに関連付けられた報告設定を決定すること（５０７）と、
前記決定された報告設定を用いて測定結果を報告すること（５１１）を含む、方法。
【請求項２】
請求項１に記載の方法であって、前記報告することは、
前記決定された報告設定を用いて前記測定報告の指標を生成することと、
前記無線通信システムにおけるネットワークノード（１０１，６００，７００，８００）に、前記測定報告の前記指標を送信すること（５１１）を含む、方法。
【請求項３】
請求項１または２に記載の方法であって、更に、
前記無線通信システムにおけるネットワークノード（１０１，６００，７００，８００）に、前記無線デバイスの前記カバレッジレベルの指標を送信すること（５０５）を更に含む、方法。
【請求項４】
請求項１から３のいずれか１項に記載の方法であって、前記取得することは、
前記情報に基づいて前記無線デバイスの前記カバレッジレベルを決定することを含む、方法。
【請求項５】
請求項１から４のいずれか１項に記載の方法であって、更に、
前記無線通信システムにおけるネットワークノード（１０１，６００，７００，８００）から、前記無線デバイスの前記カバレッジレベルを示す前記情報を受信すること（５０１）を更に含む、方法。
【請求項６】
請求項１から５のいずれか１項に記載の方法であって、前記取得することは、
前記無線デバイスにより送信または受信された信号の測定を行うことを更に含み、前記情報は前記信号の測定値を含む、方法。
【請求項７】
請求項１から６のいずれか１項に記載の方法であって、前記取得することは、
前記無線デバイスのランダムアクセス設定に基づいて前記無線デバイスによるランダムアクセス送信に使用される反復回数を決定することを更に含み、前記情報は前記ランダムアクセス送信に使用される反復回数を含む、方法。
【請求項８】
請求項１から７のいずれか１項に記載の方法であって、前記報告設定を決定することは、
前記無線通信システムにおけるネットワークノード（１０１，６００，７００，８００）から、前記異なる複数の報告設定の指標を受信することを含む、方法。
【請求項９】
請求項１から８のいずれか１項に記載の方法であって、前記異なる複数の報告設定は、異なる報告分解能で前記測定結果を報告する、方法。
【請求項１０】
請求項１から９のいずれか１項に記載の方法であって、前記異なる複数の報告設定は、異なる報告範囲で前記測定結果を報告する、方法。
【請求項１１】
請求項１から１０のいずれか１項に記載の方法であって、前記異なる複数の報告設定は、異なる報告範囲で前記測定結果を報告し、各範囲は異なる最小報告値および異なる最大報告値のうちの少なくとも１つを有する、方法。
【請求項１２】
請求項１から１１のいずれか１項に記載の方法であって、前記情報は、前記無線デバイスにサービスを提供するネットワークノードが前記カバレッジレベルを用いているかまたはサポートしているという指標を含む、方法。
【請求項１３】
請求項１から１２のいずれか１項に記載の方法であって、前記情報は、前記無線デバイスにサービスを提供するネットワークノードが前記異なるカバレッジレベルをサポートしているという指標を含む、方法。
【請求項１４】
請求項１から１３のいずれか１項に記載の方法であって、前記情報は、前記無線デバイスにより送信または受信された信号の測定値を含む、方法。
【請求項１５】
請求項６または１４に記載の方法であって、前記信号の測定値は、前記無線デバイスにより送信または受信された信号のレベルまた品質の測定値を含む、方法。
【請求項１６】
請求項１から１５のいずれか１項に記載の方法であって、前記情報は、ランダムアクセス送信をネットワークノードへ実行する前記無線デバイスに関連付けられたランダムアクセス設定を含む、方法。
【請求項１７】
請求項１から１６のいずれか１項に記載の方法であって、前記情報は、前記異なるカバレッジレベルをサポートするための前記無線デバイスの能力を含む、方法。
【請求項１８】
請求項１から１８のいずれか１項に記載の方法であって、前記情報は、前記無線デバイスの前記異なるカバレッジレベルの指標を含む、方法。
【請求項１９】
請求項１から１８のいずれか１項に記載の方法であって、前記報告設定を決定することは、１つ以上の所定の規則に基づく、方法。
【請求項２０】
請求項１から１９のいずれか１項に記載の方法であって、前記報告設定を決定することは、ネットワークノードから前記無線デバイスにより受信された信号の測定値に関連付けられた所定の時間期間に基づく、方法。
【請求項２１】
請求項１から２０のいずれか１項に記載の方法であって、前記報告設定を決定することは、１つ以上の所定の条件に基づく、方法。
【請求項２２】
請求項１から２１のいずれか１項に記載の方法であって、前記報告設定を決定することは、無線デバイスによる使用に利用可能である異なる複数の報告設定に関連付けられた１つ以上のリソースに基づく、方法。
【請求項２３】
請求項１から２２のいずれか１項に記載の方法であって、前記報告設定を決定することは、前記報告設定を決定する際に前記無線デバイスを支援するためにネットワークノードによって提供されるデータに基づく、方法。
【請求項２４】
請求項１から２３のいずれか１項に記載の方法であって、前記異なるカバレッジレベルは、１つ以上の通常のカバレッジレベルと１つ以上の拡張カバレッジレベルを含む、方法。
【請求項２５】
請求項１から２４のいずれか１項に記載の方法であって、前記無線デバイスは、ロングタームエヴォリューション（ＬＴＥ）カテゴリナローバンド１（ＬＴＥ Ｃａｔ ＮＢ１）デバイスとして動作することができ、決定された報告設定は前記ＬＴＥ Ｃａｔ ＮＢ１デバイスに対する電力ヘッドルーム報告マッピングを含む、方法。
【請求項２６】
請求項２５に記載の方法であって、通常のカバレッジにおいて動作する前記ＬＴＥ  Ｃａｔ  ＮＢ１デバイスに対する前記電力ヘッドルーム報告マッピングは、以下のように定義される、方法。
2019522928.tif 000012
【請求項２７】
請求項２５または２６に記載の方法であって、拡張カバレッジにおいて動作する前記ＬＴＥ  Ｃａｔ  ＮＢ１デバイスに対する前記電力ヘッドルーム報告マッピングは、以下のように定義される、方法。
2019522928.tif 000013
【請求項２８】
無線通信システム（１００）における無線デバイス（１０５，２００，３００，４００，１０００）であって、前記無線デバイスは、
前記無線デバイスのカバレッジレベル（１１３ａ〜１１３ｄ）を示す情報を取得し、
前記無線デバイスの異なるカバレッジレベルそれぞれ関連付けられた異なる複数の報告設定（１１５ａ〜１１５ｄ）の中から、前記取得された情報により示される前記カバレッジレベルに関連付けられた報告設定を決定し、
前記決定された報告設定を用いて測定結果を報告するように構成される、無線デバイス。
【請求項２９】
請求項２８に記載の無線デバイスであって、更に請求項２から２７のいずれか１項に記載の前記方法を実行するように構成された無線デバイス。
【請求項３０】
無線通信システム（１００）におけるネットワークノード（１０１，６００，７００，８００）により実行される方法であって、
前記無線通信システムにおける無線デバイス（１０５，２００，３００，４００，１０００）のカバレッジレベル（１１３ａ〜１１３ｄ）を示す情報を取得すること（９０３）と、
前記無線デバイスの異なるカバレッジレベルそれぞれ関連付けられた異なる複数の報告設定（１１５ａ〜１１５ｄ）の中から、前記取得された情報により示される前記カバレッジレベルに関連付けられた報告設定を決定すること（９０５）を含む、方法。
【請求項３１】
請求項３０に記載の方法であって、更に、
前記無線デバイスに、前記決定された報告設定を送信すること（９０７）を含む、方法。
【請求項３２】
請求項３０または３１に記載の方法であって、更に、
前記無線デバイスから、前記決定された報告設定を用いて測定結果を受信すること（９０９）を含む、方法。
【請求項３３】
請求項３０から３２のいずれか１項に記載の方法であって、更に、
前記無線デバイスから、前記無線デバイスによりサポートされる１つ以上のカバレッジレベルの指標を受信することを含み、前記情報は前記無線デバイスによりサポートされる前記１つ以上のカバレッジレベルを含み、
前記取得することは、前記無線デバイスによりサポートされる前記１つ以上のカバレッジレベルから前記カバレッジレベルを決定することを含む、方法。
【請求項３４】
請求項３０から３３のいずれか１項に記載の方法であって、前記決定することは、前記無線デバイスにより報告される１つ以上の測定報告に基づく、方法。
【請求項３５】
請求項３４に記載の方法であって、前記１つ以上の測定報告は、前記無線デバイスにより送信または受信された信号の測定値に関連付けられる、方法。
【請求項３６】
請求項３０から３５のいずれか１項に記載の方法であって、前記異なる複数の報告設定は、異なる報告分解能で前記測定結果を報告する、方法。
【請求項３７】
請求項３０から３６のいずれか１項に記載の方法であって、前記異なる複数の報告設定は、異なる報告範囲で前記測定結果を報告する、方法。
【請求項３８】
請求項３０から３７のいずれか１項に記載の方法であって、前記異なる複数の報告設定は、異なる報告範囲で前記測定結果を報告し、各範囲は異なる最小報告値および異なる最大報告値のうちの少なくとも１つを有する、方法。
【請求項３９】
請求項３０から３８のいずれか１項に記載の方法であって、前記異なるカバレッジレベルは、１つ以上の通常のカバレッジレベルと１つ以上の拡張カバレッジレベルを含む、方法。
【請求項４０】
請求項３０から３９のいずれか１項に記載の方法であって、前記無線デバイスは、ロングタームエヴォリューション（ＬＴＥ）カテゴリナローバンド１（ＬＴＥ Ｃａｔ ＮＢ１）デバイスとして動作することができ、決定された報告設定は前記ＬＴＥ Ｃａｔ ＮＢ１デバイスに対する電力ヘッドルーム報告マッピングを含む、方法。
【請求項４１】
請求項４０に記載の方法であって、通常のカバレッジにおいて動作する前記ＬＴＥ  Ｃａｔ  ＮＢ１デバイスに対する前記電力ヘッドルーム報告マッピングは、以下のように定義される、方法。
2019522928.tif 000014
【請求項４２】
請求項４０または４１に記載の方法であって、拡張カバレッジにおいて動作する前記ＬＴＥ  Ｃａｔ  ＮＢ１デバイスに対する前記電力ヘッドルーム報告マッピングは、以下のように定義される、方法。
2019522928.tif 000015
【請求項４３】
請求項３０から４２のいずれか１項に記載の方法であって、更に、
前記測定結果に基づいて前記無線デバイスの１つ以上の動作パラメータを適合化すること（９１１）を含む、方法。
【請求項４４】
請求項４３に記載の方法であって、前記１つ以上の動作パラメータは、符号化率、変調方式、およびリソース割り当てのうちの少なくとも１つを含む、方法。
【請求項４５】
無線通信システムにおけるネットワークノードであって、前記ネットワークノードは、
前記無線通信システムにおける無線デバイスのカバレッジレベルを示す情報を取得し、
前記無線デバイスの異なるカバレッジレベルそれぞれ関連付けられた異なる複数の報告設定から、前記取得された情報により示される前記カバレッジレベルに関連付けられた報告設定を決定するように構成された、ネットワークノード。
【請求項４６】
請求項４５に記載のネットワークノードであって、更に請求項３０から４４のいずれか１項に記載の前記方法を実行するように構成されたネットワークノード。
【発明の詳細な説明】
【技術分野】
【０００１】
本開示は、一般的には通信分野に関し、具体的には無線デバイスのカバレッジレベルに関連付けられた報告設定を決定することに関する。
【背景技術】
【０００２】
マシンタイプ通信（ＭＴＣ）とも呼ばれるマシン・ツー・マシン（Ｍ２Ｍ）通信は、機械（マシン）間および機械と人間が操作するデバイスとの間の通信を確立するために使用される。この通信は、データの交換、シグナリング情報、測定データ、構成情報などを含み得る。更に、デバイスのサイズは、財布のサイズから一般的な基地局のサイズまでさまざまである。Ｍ２Ｍデバイスは、環境条件（例えば、温度読み取り）の検知、計量または測定（例えば、電気使用量）、故障発見またはエラー検出などのような用途にかなり頻繁に使用されている。これらのアプリケーションでは、Ｍ２Ｍデバイスは通常、低電力のスリープモードで動作し、アクティブになることはほとんどない。それらがアクティブであるとき、それは典型的にはサービスの種類に応じてはるかに長い周期的期間（例えば、２秒毎に２００ミリ秒、６０分毎に５００ミリ秒）の間の短いインスタンスである。Ｍ２Ｍデバイスはまた、他の周波数または他の無線アクセス技術（ＲＡＴ）で測定を実行し得る。
【０００３】
更に、ＭＴＣデバイスは、より低いコスト／複雑さであると予想される。Ｍ２Ｍ動作に想定される低コスト／複雑度のユーザ装置（ＵＥ）は、より小さいダウンリンクまたはアップリンク最大トランスポートブロックサイズ（例えば、１０００ビット）、および減少したダウンリンクチャネル帯域幅（例えば、物理共有データチャネル（ＰＤＳＣＨ）などのデータチャネルに対して１．４ＭＨｚ）を有し得る。より低コストのＵＥはまた、半二重、周波数分割複信（ＨＤ−ＦＤＤ）動作をサポートすることができ、ＵＥにおける単一の受信器、より小さいダウンリンクまたはアップリンク最大トランスポートブロックサイズ（例えば１０００ビット）、およびデータチャネルに対して１．４ＭＨｚの減少したダウンリンクチャネル帯域幅といった特徴を有し得る。低コストのＵＥはまた、低複雑性のＵＥとも称され得る。
【０００４】
Ｍ２Ｍデバイスと基地局との間の経路損失は、センサとして使用されるＭ２Ｍデバイスまたは建物の地下室などの遠隔地に配置された計量デバイスなどのいくつかのシナリオでは非常に大きい可能性がある。これらのシナリオでは、基地局によって送信された信号の受信は、経路損失のために非常に困難である（例えば、経路損失は通常の動作よりも２０ｄＢ悪い可能性がある）。これらの課題に対処するために、アップリンクまたはダウンリンク上でのこれらの信号の受信は、ＵＥまたは無線ネットワークノード（例えば、基地局）で高度な技術を使用することによって強化されるべきである。これらの高度な技術は、送信電力を高めること、信号送信を繰り返すこと、送信信号に冗長性を追加すること、または強化された受信器技術を含むことができる。一般に、これらのカバレッジ拡張（向上）技術のいずれかを使用するとき、Ｍ２Ｍデバイスはカバレッジ拡張モードで動作していると見なされる。低複雑性のＵＥ（例えば、単一の受信器を有するＵＥ）もまた、拡張カバレッジモードの動作をサポートすることが可能であり得る。
【０００５】
ＵＥによって行われる無線測定は、通常、いくつかの既知の参照シンボルまたはパイロットシーケンス（例えば、狭帯域セル固有参照信号（ＮＢ−ＣＲＳ）、狭帯域セカンダリ同期信号（ＮＢ−ＳＳＳ）、狭帯域プライマリ同期信号（ＮＢ−ＰＳＳ））を介して、サービングセル上および隣接セル（例えば、狭帯域（ＮＢ）セル、ＮＢ物理リソースブロック（ＰＲＢ））上で行われる。更に、無線測定は、ＵＥがそのＲＡＴをサポートしているかどうかに応じて、周波数内搬送波と周波数間搬送波を有するセル、およびＲＡＴ間搬送波で行われる。周波数間およびＲＡＴ間測定を可能にするために、ネットワークは、ＵＥが無線測定を実行できるように周波数ギャップを設定しなければならない。
【０００６】
測定は、モビリティ、ポジショニング、自己組織化ネットワーク（ＳＯＮ）、走行テストの最小化（ＭＤＴ）、運用と保守（Ｏ＆Ｍ）、ネットワークの計画と最適化など、さまざまな目的で行われる。ロングタームエヴォリューション（ＬＴＥ）では、これらの測定は、セル識別（すなわち、物理セル識別子（ＰＣＩ）取得）、参照シンボル受信電力（ＲＳＲＰ）、参照シンボル受信品質（ＲＳＲＱ）、セルグローバル識別子（ＣＧＩ）取得、参照信号時間差（ＲＳＴＤ）、ＵＥ  ＲＸ−ＴＸ時間差測定、および無線リンクモニタリング（ＲＬＭ）（例えば、非同期／同期検出）を含む。ＵＥによって実行されるチャネル状態情報（ＣＳＩ）測定は、スケジューリングおよびリンクアダプテーションなどのためにネットワークによって使用される。ＣＳＩ測定から導出されるＣＳＩ報告は、チャネル品質指標（ＣＱＩ）、プリコーディング行列インデックス（ＰＭＩ）、およびランクインジケーション（ＲＩ）を含む。更に、これらの測定は、セル固有参照信号（ＣＲＳ）、チャネル状態情報参照信号（ＣＳＩ−ＲＳ）、または復調参照信号（ＤＭＲＳ）などの参照信号（reference signal）に対して実行され得る。
【０００７】
未知のセル（例えば、新しい隣接セル）を識別するために、ＵＥはそのセルのタイミング、ひいては物理セル識別子（ＰＣＩ）を取得しなければならない。レガシーＬＴＥにおけるセルサーチおよびセル識別のために、＃０および＃５ダウンリンクサブフレームは同期信号（例えば、一次同期信号（ＰＳＳ）および二次同期信号（ＳＳＳ））を搬送する。同様に、狭帯域インターネットオブシングス（ＮＢ−ＩＯＴ）に使用される同期信号は、ＮＢ−ＰＳＳおよびＮＢ−ＳＳＳと呼ばれる。しかしながら、それらの周期性は、ＬＴＥレガシー同期信号とは異なり得る。ＬＴＥにおけるセルサーチおよびセル識別の後、ＵＥはまた、新たに識別されたセルのＲＳＲＰまたはＲＳＲＱを測定し、その測定値をネットワークノードに報告し得る。
【０００８】
ＮＢ−ＩｏＴ ＲＡＴでは、５０４個のＰＣＩが利用可能である。測定はすべての無線リソース制御（ＲＲＣ）状態（すなわち、ＲＲＣアイドル状態および接続状態）で実行される。ＲＲＣ接続状態では、測定結果は、結果をネットワークノードに報告するためといった、１つ以上のタスクのためにＵＥによって使用される。ＲＲＣアイドル状態では、測定値は、セル選択またはセル再選択などの１つまたは複数のタスクのためにＵＥによって使用される。
【０００９】
ＮＢ−ＩｏＴ業界標準の目的は、屋内カバレッジの向上、大量の低スループットデバイス、低遅延感度、超低デバイスコスト、低デバイス消費電力、および最適化されたネットワークアーキテクチャのサポートに対処する、進化型ユニバーサル地上無線アクセス（Evolved Universal Terrestrial Radio Access（Ｅ−ＵＴＲＡ））の下位互換性のない変形に基づいて、セルラＩｏＴの無線アクセスを大幅に指定することである。ＮＢ−ＩｏＴキャリア帯域幅（すなわち、Ｂｗ２）は、２００ｋＨｚである。ＬＴＥに対しては、動作帯域幅（すなわち、Ｂｗ１）は、１．４ＭＨｚ、３ＭＨｚ、５ＭＨｚ、１０ＭＨｚ、１５ＭＨｚ、２０ＭＨｚなどである。さらに、ＮＢ−ＩｏＴは、３つの異なる展開シナリオをサポートする。第１に、スタンドアローン動作は、例えば、グローバル移動体通信システム（ＧＳＭ）および現在ＧＳＥＮと総称されるＧＳＭ進化用の拡張データレート（ＥＤＧＥ）ＲＡＮシステムによって現在使用されているスペクトルを、１つ以上のＧＳＭキャリアの交換として、利用する。原則として、他のシステムのキャリア内にも、他のシステムの動作キャリアの保護帯域内にもない任意のキャリア周波数で動作する。他のシステムは、他のＮＢ−ＩｏＴ動作または他の任意のＲＡＴ（ＬＴＥ）であり得る。第２に、ガードバンド（ガード帯域）動作は、ＬＴＥキャリアのガードバンド内の未使用のリソースブロックを利用する。一例として、２０ＭＨｚのＬＴＥ帯域幅（すなわち、Ｂｗ１ ＝ ２０ＭＨｚまたは１００リソースブロック（ＲＢ））の場合、ＮＢＢ−ＩＯＴのガードバンド動作は、中央の１８ＭＨｚのＬＴＥ帯域幅の外側であるが２０ＭＨｚＬＴＥ帯域幅の範囲内のどこでもよい。第３に、バンド内動作（すなわち帯域内動作）は、通常のＬＴＥキャリア内のＲＢを利用する。より一般的には、別のＲＡＴの帯域幅内の１つのＲＡＴの動作は帯域内動作とも呼ばれる。例えば、５０ＲＢのＬＴＥ帯域幅（すなわち、Ｂｗ１ ＝ １０ＭＨｚまたは５０ＲＢ）に対しては、５０ＲＢ内の１つのＲＢにわたるＮＢ−ＩＯＴ動作は帯域内動作と呼ばれる。
【００１０】
３つのシナリオすべてに対するＮＢ−ＩＯＴでは、ダウンリンク送信は、１５ｋＨｚサブキャリア間隔と、従来のＬＴＥと同じシンボルおよびサイクリックプレフィックス（ＣＰ）期間とを有する直交周波数分割多重（ＯＦＤＭ）に基づいている。アップリンク送信に対しては、シングルキャリア周波数分割多元接続（ＳＣ−ＦＤＭＡ）に基づくマルチトーン送信と、３．７５ｋＨｚまたは１５ｋＨｚのサブキャリア間隔を有するシングルトーン送信の両方がサポートされている。これは、ダウンリンクおよび部分的にアップリンクにおけるＮＢ−ＩｏＴの物理波形が、従来のＬＴＥの対応する波形と類似していることを意味する。
【００１１】
ダウンリンクでは、ＮＢ−ＩＯＴは、異なる物理チャネルで伝送されるマスター情報ブロードキャストとシステム情報ブロードキャストの両方をサポートする。バンド内動作に対しては、ＮＢ−ＩｏＴ ＵＥがレガシーＰＲＢインデックスを知らずに狭帯域物理ブロードキャストチャネル（ＮＰＢＣＨ）を復号することが可能である。更に、ＮＢ−ＩｏＴは、狭帯域物理ダウンリンク制御チャネル（ＮＰＤＣＣＨ）と狭帯域物理ダウンリンク共有チャネル（ＮＰＤＳＣＨ）の両方をサポートする。加えて、ＮＢ−ＩＯＴの動作モードはＵＥに指示されなければならず、そして現在第３世代パートナーシッププロジェクト（３ＧＰＰ）は狭帯域セカンダリ同期信号（ＮＳＳＳ）、狭帯域マスター情報ブロック（ＮＢ−ＭＩＢ）あるいはおそらく他のダウンリンク信号によってこの指示を考慮する。
【００１２】
狭帯域参照信号（ＮＲＳ）は従来のＬＴＥ−ＣＲＳとは別のものであるが、設計原理は似ている。例えば、ＮＲＳは、レガシーＣＲＳまたはＰＤＣＣＨと重複せず、ＮＰＤＳＣＨ／ＮＰＳＣＣＨが送信されないときにサブフレーム内でオフにされることがあり、使用されるサブキャリアはＰＣＩから導出される。更に、ダウンリンク同期信号は、無線フレーム毎にサブフレーム番号５で送信されるプライマリ同期信号（ＮＰＳＳ）と、サブフレーム番号９で送信されるセカンダリ同期信号（ＮＳＳＳ）とからなる。
【００１３】
更に、ＮＢ−ＩｏＴは、３ＧＰＰリリース１３に記載されているようにマルチＰＲＢ動作をサポートする。このシナリオでは、ＮＰＳＳ、ＮＳＳＳ、ＰＢＣＨ、およびシステム情報は、１つまたは複数のアンカーＰＲＢ上でのみブロードキャストされ、接続設定時に、これらの信号を含まない他のセカンダリＰＲＢ上でそれらの接続セッションを実行するためにＵＥを割り当てることができる。したがって、ＵＥはページングを監視し、アンカーＰＲＢ上でランダムアクセスおよびＲＲＣ接続設定を実行し、セカンダリＰＲＢ上でユーザプレーンデータを送信し、一旦ＲＲＣアイドルモードに解放されると、他に指示されない限りアンカーＰＲＢに戻る。そのため、前述の物理チャネルに基づくＵＥ測定は、セカンダリＰＲＢでは実行できない。しかしながら、アンカーＰＲＢとセカンダリＰＲＢは、異なる展開シナリオに属してもよい。例えば、アンカーＰＲＢはガードバンド内にあり、一方、セカンダリＰＲＢはバンド内にある場合があり、その場合、アンカーＰＲＢ上で利用可能なＮＲＳ参照シンボルのみが存在するのに対して、セカンダリＰＲＢ上でＮＲＳとレガシーＣＲＳの両方が利用可能である。
【００１４】
更に、いくつかのＰＲＢは、いくつかのＰＲＢはバンド内の展開シナリオのために電力ブーストされてもよく、典型的にはアンカーＰＲＢは電力ブーストされてＮＰＳＳ、ＮＳＳＳ、ＰＢＣＨ、およびＮＰＤＣＣＨの良好な受信を保証する。アンカーＰＲＢはまた、プライマリＰＲＢ、基本ポジショニング（測位）基準信号（ＰＲＳ）、共通信号ＰＲＳ、メインＰＲＳ等と呼ばれることがある。セカンダリＰＲＢはまた、コンパニオンＰＲＳ、ブースターＰＲＳ、データＰＲＳなどと呼ばれることもある。ＰＲＢはまた、セル、ＮＢセル、ＮＢリソース、リソースブロック（ＲＢ）、仮想ＲＢ（ＶＲＢ）、物理リソースなどと呼ばれることもある。
【００１５】
低複雑性および低コストのＵＥは、レガシーＵＥと比較して異なる特徴を有する。これらの特性はいくつかの制限をもたらす。そのような制限の１つは、これらのＵＥが従来のＵＥと比較して報告能力が限られていることである。例えば、ＮＢ−ＩＯＴ ＵＥは、レガシーＬＴＥ ＵＥの６ビット（例えば、６４値）と比較して、電力ヘッドルームを報告するために使用され得る２ビット（例えば、４値）のみを有する。そのため、報告された値は、ＮＢ−ＩｏＴ ＵＥにおける実際の電力使用状況を反映していない可能性がある（すなわち、サービングネットワークノードに提供される情報の正確性が低い）。報告された測定値は、運用タスク（例えば、スケジューリング、移動性、位置決め）のためにネットワークによって使用されるので、ネットワークによって、より正確ではない、または最適ではないスケジューリング決定が行われることがある。したがって、無線デバイスのカバレッジレベルを報告するための改良された技術が必要とされている。更に、本開示の他の望ましい特徴および特徴は、添付の図面、ならびに前述の技術分野および背景と併せて、以下の詳細な説明および実施形態から明らかになるであろう。
【００１６】
本明細書の背景の部分は、当業者がそれらの範囲および有用性を理解するのを助けるために、本開示の実施形態を技術的および動作的状況に置くために提供される。そのように明確に識別されない限り、本明細書における記載は、単に背景技術の欄に含まれることによって先行技術と認められることはない。
【発明の概要】
【００１７】
以下は、当業者に基本的な理解を提供するために本開示の簡単な要約を提示する。この概要は、本開示の広範な概要ではなく、本開示の実施形態のキーとなる／重要な要素を特定すること、または本開示の範囲を描写することを意図するものではない。この概要の唯一の目的は、後で提示されるより詳細な説明の前置きとして、本明細書に開示されるいくつかの概念を簡略化された形で提示することである。無線通信システムにおける無線デバイスのカバレッジレベルに関連付けられた報告設定を決定するシステムおよび方法が本明細書に記載される。一態様によれば、無線通信システムにおいて無線デバイス（例えば、ＵＥ）によって実行される方法は、無線デバイスのカバレッジレベルを示す情報を取得することを含む。更に、この方法は、無線デバイスの異なるカバレッジレベルにそれぞれ関連付けられた異なる複数の報告設定の中から、取得された情報によって示されるカバレッジレベルに関連付けられた報告設定を決定することを含む。また、方法は、決定された報告設定を用いて測定結果を報告することを含む。
【００１８】
別の態様によれば、測定結果を報告するステップは、決定された報告設定を用いて測定結果の指標を生成することを含み得る。更に、方法は、無線通信システム内のネットワークノードに測定結果の指標を送信することを含み得る。
【００１９】
別の態様によれば、方法は、無線通信システムにおけるネットワークノードに、無線デバイスのカバレッジレベルの指標を送信することを含み得る。
【００２０】
別の態様によれば、方法を取得するステップは、情報に基づいて、無線デバイスのカバレッジレベルを決定することを含み得る。
【００２１】
別の態様によれば、方法は、無線通信システムにおけるネットワークノードから、無線デバイスのカバレッジレベルを示す情報を受信することを含み得る。
【００２２】
別の態様によれば、取得するステップは、無線デバイスにより送信または受信された信号の測定値を決定することを含み、当該情報は信号測定値を含む。
【００２３】
別の態様によれば、情報を取得するステップは、無線デバイスの無線アクセス設定に基づいて、無線デバイスによるランダムアクセス送信のために使用される反復回数を決定することを含み、当該情報はランダムアクセス送信に使用される反復回数を含む。
【００２４】
別の態様によれば、報告設定を決定するステップは、無線通信システムにおけるネットワークノードから、異なる複数の報告設定の指標を受信することを含む。
【００２５】
別の態様によれば、異なる複数の報告設定は、異なる報告分解能で測定結果を報告し得る。
【００２６】
別の態様によれば、異なる複数の報告設定は、異なる報告範囲で測定結果を報告し得る。
【００２７】
別の態様によれば、異なる複数の報告設定は、異なる報告範囲で測定結果を報告してもよく、各範囲は異なる最小報告値および異なる最大報告値のうちの少なくとも１つを有する。
【００２８】
別の態様によれば、情報は、無線デバイスにサービスを提供するネットワークノードがカバレッジレベルを使用しているかまたはサポートしているという指標を含み得る。
【００２９】
別の態様によれば、情報は、無線デバイスにサービスを提供するネットワークノードが異なるカバレージレベルをサポートしているという指標を含み得る。
【００３０】
別の態様によれば、情報は、無線デバイスにより送信または受信された信号の測定値を含み得る。
【００３１】
別の態様によれば、信号測定は、無線デバイスにより送信または受信された信号の信号レベルまたは品質の測定値を含み得る。
【００３２】
別の態様によれば、情報は、ネットワークにランダムアクセス送信を実行する無線デバイスに関連付けられたランダムアクセス設定を含み得る。
【００３３】
別の態様によれば、情報は、異なるカバレッジレベルをサポートするための無線デバイスの能力を含み得る。
【００３４】
別の態様によれば、情報は、当該取得において無線デバイスを支援するためにネットワークノードによって提供されるデータを含み得る。
【００３５】
別の態様によれば、情報は、無線デバイスの異なるカバレッジレベルの指標を含み得る。
【００３６】
別の態様によれば、情報は、異なるカバレッジレベルに関連付けられた統計値を含み得る。
【００３７】
別の態様によれば、情報は、無線デバイスにより使用される異なるカバレッジレベルのログを含み得る。
【００３８】
別の態様によれば、報告設定を決定するステップは、１つ以上の所定の規則に基づき得る。
【００３９】
別の態様によれば、報告設定を決定するステップは、ネットワークノードから無線デバイスにより受信された信号の測定値に関連付けられた所定の時間期間に基づき得る。
【００４０】
別の態様によれば、報告設定を決定するステップは、１つ以上の所定の条件に基づき得る。
【００４１】
別の態様によれば、報告設定を決定するステップは、無線デバイスによる使用に利用可能である異なる複数の報告設定に関連付けられた１つ以上の複数のリソースに基づき得る。
【００４２】
別の態様によれば、報告設定を決定するステップは、報告設定を決定する際に無線デバイスを支援するためにネットワークノードによって提供されるデータに基づき得る。
【００４３】
別の態様によれば、報告設定を決定するステップは、異なる複数の報告設定に関連付けられた統計値に基づき得る。
【００４４】
別の態様によれば、報告設定を決定するステップは、無線デバイスによって使用される異なる複数の報告設定のログに基づき得る。
【００４５】
別の態様によれば、異なるカバレッジレベルは、１つ以上の通常のカバレッジレベルまたは１つ以上の拡張カバレッジレベル（例えば、拡張カバレッジレベル０、１、２等）を含み得る。
【００４６】
別の態様によれば、無線デバイスは、ロングタームエヴォリューション（ＬＴＥ）カテゴリナローバンド（狭帯域）１（ＬＴＥ Ｃａｔ ＮＢ １）装置として動作することができ、決定された報告設定はＬＴＥ Ｃａｔ ＮＢ １装置のための電力ヘッドルーム報告マッピングを含んでもよい。
【００４７】
別の態様によれば、通常のカバレッジで動作しているＬＴＥ Ｃａｔ ＮＢ１デバイスの電力ヘッドルーム報告マッピングは、以下のように定義され得る。
2019522928.tif 000003
【００４８】
別の態様によれば、拡張カバレッジで動作しているＬＴＥ Ｃａｔ ＮＢ１デバイスの電力ヘッドルームマッピングマッピングは、以下のように定義され得る。
2019522928.tif 000004
【００４９】
一態様によれば、無線通信システムにおいて無線デバイスは、無線デバイスのカバレッジレベルを示す情報を取得するように構成される。更に、無線デバイスは、無線デバイスの異なるカバレッジレベルにそれぞれ関連付けられた異なる複数の報告設定の中から、取得された情報によって示されるカバレッジレベルに関連付けられた報告設定を決定するように構成された決定回路を有する。また、無線デバイスは、決定された報告設定を用いて測定結果を報告するように構成された報告器回路を有する。
【００５０】
別の態様によれば、報告器回路は、決定された報告設定を用いて測定結果に指標を生成するように構成される。更に、無線デバイスは、無線通信システムにおけるネットワークノードに測定結果の指標を送信するように構成される。
【００５１】
別の態様によれば、無線デバイスは、無線通信システムにおけるネットワークノードに、無線デバイスのカバレッジレベルの指標を送信するように構成された送信器を有し得る。
【００５２】
別の態様によれば、取得回路は、情報に基づいて、無線デバイスのカバレッジレベルを決定するように構成され得る。
【００５３】
別の態様によれば、無線デバイスは、無線通信システムにおけるネットワークノードから、無線デバイスのカバレッジレベルを示す情報を受信するように構成された受信器を有し得る。
【００５４】
別の態様によれば、取得回路は、無線デバイスにより送信されたまたは受信された信号の測定値を決定するように構成され得る。更に、情報は信号測定値（信号の測定値）を含み得る。
【００５５】
別の態様によれば、取得回路は、無線デバイスのランダムアクセス設定に基づいて、無線デバイスによるランダムアクセス送信に対して使用される反復回数を決定するように構成され得る。また、情報は、ランダムアクセス送信に対して使用される反復回数を含み得る。
【００５６】
別の態様によれば、決定回路は、無線通信システムにおけるネットワークノードから、異なる複数の報告設定の指標を受信するように構成され得る。
【００５７】
別の態様によれば、決定回路は、１つ以上の所定の規則に基づいて報告設定を決定するように構成され得る。
【００５８】
別の態様によれば、決定回路は、ネットワークノードから無線デバイスにより受信された信号の測定値に関連付けられた所定の時間期間に基づいて報告設定を決定するように構成され得る。
【００５９】
別の態様によれば、決定回路は、１つ以上の所定の条件に基づいて報告設定を決定するように構成され得る。
【００６０】
別の態様によれば、決定回路は、無線デバイスによる使用に利用可能である異なる複数の報告設定に関連付けられた１つ以上の複数のリソースに基づいて報告設定を決定するように構成され得る。
【００６１】
別の態様によれば、決定回路は、報告設定を決定する際に無線デバイスを支援するためにネットワークノードによって提供されるデータに基づいて報告設定を決定するように構成され得る。
【００６２】
別の態様によれば、決定回路は、異なる複数の報告設定に関連付けられた統計値に基づいて報告設定を決定するように構成され得る。
【００６３】
別の態様によれば、決定回路は、無線デバイスによる使用に利用可能である異なる複数の報告設定のログに基づいて報告設定を決定するように構成され得る。
【００６４】
一態様によれば、無線通信システムにおける無線デバイスは、無線デバイスのカバレッジレベルを示す情報を取得するように構成される。更に、無線デバイスは、無線デバイスの異なるカバレッジレベルにそれぞれ関連付けられた異なる複数の報告設定の中から、取得された情報によって示されるカバレッジレベルに関連付けられた報告設定を決定するように構成される。また、無線デバイスは、決定された報告設定を用いて測定結果を報告するように構成される。
【００６５】
別の態様によれば、無線デバイスは、決定された報告設定を用いて測定結果に指標を生成するように構成され得る。更に、無線デバイスは、無線通信システムにおけるネットワークノード（例えばｅＮＢ）に測定結果の指標を送信するように構成され得る。
【００６６】
別の態様によれば、無線デバイスは、無線通信システムにおけるネットワークノードに、無線デバイスのカバレッジレベルの指標を送信するように構成され得る。
【００６７】
別の態様によれば、無線デバイスは、情報に基づいて、無線デバイスのカバレッジレベルを決定するように構成され得る。
【００６８】
別の態様によれば、無線デバイスは、無線通信システムにおけるネットワークノードから、無線デバイスのカバレッジレベルを示す情報を受信するように構成され得る。
【００６９】
別の態様によれば、無線デバイスは、無線デバイスにより送信または受信された信号の測定値を決定するように構成され得る。更に、情報は信号測定値を含み得る。
【００７０】
別の態様によれば、無線デバイスは、無線デバイスのランダムアクセス設定に基づいて、無線デバイスによるランダムアクセス送信に対して使用される反復回数を決定するように構成され得る。また、情報は、ランダムアクセス送信に対して使用される反復回数を含み得る。
【００７１】
別の態様によれば、無線デバイスは、無線通信システムにおけるネットワークノードから、異なる複数の報告設定の指標を受信するように構成され得る。
【００７２】
別の態様によれば、無線デバイスは、１つ以上の所定の規則に基づいて報告設定を決定するように構成され得る。
【００７３】
別の態様によれば、無線デバイスは、ネットワークノードから無線デバイスにより受信された信号の測定値に関連付けられた所定の時間期間に基づいて報告設定を決定するように構成され得る。
【００７４】
別の態様によれば、無線デバイスは、１つ以上の所定の条件に基づいて報告設定を決定するように構成され得る。
【００７５】
別の態様によれば、無線デバイスは、無線デバイスによる使用に利用可能である異なる複数の報告設定に関連付けられた１つ以上の複数のリソースに基づいて報告設定を決定するように構成され得る。
【００７６】
別の態様によれば、無線デバイスは、報告設定を決定する際に無線デバイスを支援するためにネットワークノードによって提供されるデータに基づいて報告設定を決定するように構成され得る。
【００７７】
別の態様によれば、無線デバイスは、異なる複数の報告設定に関連付けられた統計値に基づいて報告設定を決定するように構成され得る。
【００７８】
別の態様によれば、無線デバイスは、無線デバイスによる使用に利用可能である異なる複数の報告設定のログに基づいて報告設定を決定するように構成され得る。
【００７９】
一態様によれば、無線通信システムにおける無線デバイスは、無線デバイスのカバレッジレベルを示す情報を取得するための取得モジュールを有する。更に、無線デバイスは、無線デバイスの異なるカバレッジレベルにそれぞれ関連付けられた異なる複数の報告設定の中から、取得された情報によって示されるカバレッジレベルに関連付けられた報告設定を決定するための決定モジュールを有する。また、無線デバイスは、決定された報告設定を用いて測定結果を報告するための報告モジュールを有する。
【００８０】
別の態様によれば、報告モジュールは、決定された報告設定を用いて測定結果に指標を生成することを含み得る。更に、無線デバイスは、無線通信システムにおけるネットワークノードに測定結果の指示を送信するための送信モジュールを有し得る。
【００８１】
別の態様によれば、無線デバイスは、無線通信システムにおけるネットワークノードに、無線デバイスのカバレッジレベルの指標を送信するための送信モジュールを有し得る。
【００８２】
別の態様によれば、取得モジュールは、情報に基づいて、無線デバイスのカバレッジレベルを決定することを含み得る。
【００８３】
別の態様によれば、取得モジュールは、無線通信システムにおけるネットワークノードから、無線デバイスのカバレッジレベルを示す情報を受信することを含み得る。
【００８４】
別の態様によれば、取得モジュールは、無線デバイスにより送信されたまたは受信された信号の測定値を決定することを含み得る。更に、情報は信号測定値を含み得る。
【００８５】
別の態様によれば、取得モジュールは、無線デバイスのランダムアクセス設定に基づいて、無線デバイスによるランダムアクセス送信に対して使用される反復回数を決定することを含み得る。また、情報は、ランダムアクセス送信に使用される反復回数を含み得る。
【００８６】
別の態様によれば、決定モジュールは、無線通信システムにおけるネットワークノードから、異なる複数の報告設定の指標を受信することを含み得る。
【００８７】
別の態様によれば、決定モジュールは、１つ以上の所定の規則に基づいて報告設定を決定することを含み得る。
【００８８】
別の態様によれば、決定回路は、ネットワークノードから無線デバイスにより受信された信号の測定値に関連付けられた所定の時間期間に基づいて報告設定を決定することを含み得る。
【００８９】
別の態様によれば、決定モジュールは、１つ以上の所定の条件に基づいて報告設定を決定することを含み得る。
【００９０】
別の態様によれば、決定モジュールは、無線デバイスによる使用に利用可能である異なる複数の報告設定に関連付けられた１つ以上の複数のリソースに基づいて報告設定を決定することを含み得る。
【００９１】
別の態様によれば、決定モジュールは、報告設定を決定する際に無線デバイスを支援するためにネットワークノードによって提供されるデータに基づいて報告設定を決定することを含み得る。
【００９２】
別の態様によれば、決定モジュールは、異なる複数の報告設定に関連付けられた統計に基づいて報告設定を決定することを含み得る。
【００９３】
別の態様によれば、決定モジュールは、無線デバイスにより使用された異なる複数の報告設定のログに基づいて報告設定を決定することを含み得る。
【００９４】
一態様によれば、無線通信システムにおける無線デバイスはプロセッサとメモリを有する。メモリは、プロセッサによって実行可能な命令を含み、それによって無線デバイスは、無線デバイスのカバレッジレベルを示す情報を取得するように構成される。更に、メモリは、無線デバイスの異なるカバレッジレベルにそれぞれ関連付けられた異なる複数の報告設定の中から無線デバイスが決定するように構成される命令を含む。また、報告設定は、取得された情報により示されるカバレッジレベルに関連付けられる。また、メモリは、無線デバイスが決定された報告設定を用いて測定結果を報告するような命令を含む。
【００９５】
別の態様によれば、無線デバイスは、決定された報告設定を用いて測定結果に指標を生成するように構成され得る。更に、無線デバイスは、無線通信システムにおけるネットワークノード（例えばｅＮＢ）に測定結果の指示を送信するように構成され得る。
【００９６】
別の態様によれば、無線デバイスは、無線通信システムにおけるネットワークノードに、無線デバイスのカバレッジレベルの指標を送信するように構成され得る。
【００９７】
別の態様によれば、無線デバイスは、情報に基づいて、無線デバイスのカバレッジレベルを決定するように構成され得る。
【００９８】
別の態様によれば、無線デバイスは、無線通信システムにおけるネットワークノードから、無線デバイスのカバレッジレベルを示す情報を受信するように構成され得る。
【００９９】
別の態様によれば、無線デバイスは、無線デバイスにより送信されたまたは受信された信号の測定値を決定するように構成され得る。更に、情報は信号測定値を含み得る。
【０１００】
別の態様によれば、無線デバイスは、無線デバイスのランダムアクセス設定に基づいて、無線デバイスによるランダムアクセス送信に対して使用される反復回数を決定するように構成され得る。また、情報は、ランダムアクセス送信に対して使用される反復回数を含み得る。
【０１０１】
別の態様によれば、無線デバイスは、無線通信システムにおけるネットワークノードから、異なる複数の報告設定の指標を受信するように構成され得る。
【０１０２】
別の態様によれば、無線デバイスは、１つ以上の所定の規則に基づいて報告設定を決定するように構成され得る。
【０１０３】
別の態様によれば、無線デバイスは、ネットワークノードから無線デバイスにより受信された信号の測定値に関連付けられた所定の時間期間に基づいて報告設定を決定するように構成され得る。
【０１０４】
別の態様によれば、無線デバイスは、１つ以上の所定の条件に基づいて報告設定を決定するように構成され得る。
【０１０５】
別の態様によれば、無線デバイスは、無線デバイスによる使用に利用可能である異なる複数の報告設定に関連付けられた１つ以上の複数のリソースに基づいて報告設定を決定するように構成され得る。
【０１０６】
別の態様によれば、無線デバイスは、報告設定を決定する際に無線デバイスを支援するためにネットワークノードによって提供されるデータに基づいて報告設定を決定するように構成され得る。
【０１０７】
別の態様によれば、無線デバイスは、異なる複数の報告設定に関連付けられた統計値に基づいて報告設定を決定するように構成され得る。
【０１０８】
別の態様によれば、無線デバイスは、無線デバイスによる使用に利用可能である異なる複数の報告設定のログに基づいて報告設定を決定するように構成され得る。
【０１０９】
一態様によれば、無線デバイスの少なくとも１つのプロセッサ上で実行されると、少なくとも１つのプロセッサにここに記載された方法のうちのいずれかを実行させる命令を含むコンピュータプログラムが提供される。更に、キャリアはコンピュータプログラムを含むことができ、当該キャリアは、電子信号、光信号、無線信号、またはコンピュータ可読記憶媒体のうちの１つである。
【０１１０】
一態様によれば、無線通信システムにおいて無線デバイスによって実行される方法は、無線通信システムにおける無線デバイスのカバレッジレベルを示す情報を取得することを含む。更に、この方法は、無線デバイスの異なるカバレッジレベルにそれぞれ関連付けられた異なる複数の報告設定の中から、取得された情報によって示されるカバレッジレベルに関連付けられた報告設定を決定することを含む。
【０１１１】
別の態様によれば、方法は、決定された報告設定を無線デバイスへ送信することを含み得る。
【０１１２】
別の態様によれば、方法は、無線デバイスから、決定された報告設定を用いた測定結果を受信することを含み得る。
【０１１３】
別の態様によれば、方法は、無線デバイスから、無線デバイスによりサポートされる１つ以上のカバレッジレベルの指標を受信することを含み得る。更に、情報は、無線デバイスによりサポートされる１つ以上のカバレッジレベルを含み得る。また、情報を取得するステップは、無線デバイスによりサポートされる１つ以上のカバレッジレベルからカバレッジレベルを決定することを含み得る。
【０１１４】
別の態様によれば、報告設定を決定するステップは、無線デバイスによって報告される１つ以上の測定結果に基づき得る。
【０１１５】
別の態様によれば、１つ以上の測定結果は、無線デバイスにより送信されたまたは受信された信号の測定値に関連付けられ得る。
【０１１６】
別の態様によれば、異なる複数の報告設定は、異なる報告解像度で測定結果を報告し得る。
【０１１７】
別の態様によれば、異なる複数の報告設定は、異なる報告範囲で測定結果を報告し得る。
【０１１８】
別の態様によれば、異なる複数の報告設定は、異なる報告範囲で測定結果を報告してもよく、各範囲は異なる最小報告値および異なる最大報告値のうちの少なくとも１つを有する。
【０１１９】
別の態様によれば、方法は、測定結果に基づいて無線デバイスの１つ以上の動作パラメータを適合化することを含み得る。
【０１２０】
別の態様によれば、１つ以上の動作パラメータは、符号化率、変調方式、およびリソース割り当てのうちの少なくとも１つを含み得る。
【０１２１】
一態様によれば、無線通信システムにおけるネットワークノードは、無線通信システムにおける無線デバイスのカバレッジレベルを示す情報を取得するように構成された取得回路を有する。更に、ネットワークノードは、無線デバイスの異なるカバレッジレベルにそれぞれ関連付けられた異なる複数の報告設定の中から、取得された情報によって示されるカバレッジレベルに関連付けられた報告設定を決定するように構成された決定回路を有する。
【０１２２】
別の態様によれば、ネットワークノードは、決定された報告設定を無線デバイスへ送信するように構成された送信回路を有し得る。
【０１２３】
別の態様によれば、ネットワークノードは、無線デバイスから、決定された報告設定を用いた測定結果を受信するように構成された受信回路を有し得る。
【０１２４】
別の態様によれば、ネットワークノードは、無線デバイスから、無線デバイスによりサポートされる１つ以上のカバレッジレベルの指標を受信するように構成された受信回路を有し得る。更に、情報は、無線デバイスによりサポートされる１つ以上のカバレッジレベルを含み得る。また、取得器回路は、無線デバイスによりサポートされる１つ以上のカバレッジレベルからカバレッジレベルを決定するように構成され得る。
【０１２５】
別の態様によれば、決定回路は、無線デバイスより報告された１つ以上の測定結果に基づいて報告設定を決定するように更に構成され得る。
【０１２６】
別の態様によれば、ネットワークノードは、測定結果に基づいて無線デバイスの1つ以上の動作パラメータを適合化するように構成された適合化回路を有し得る。
【０１２７】
一態様によれば、無線通信システムにおけるネットワークノードは、無線通信システムにおける無線デバイスのカバレッジレベルを示す情報を取得するように構成される。更に、ネットワークノードは、無線デバイスの異なるカバレッジレベルにそれぞれ関連付けられた異なる複数の報告設定の中から、取得された情報によって示されるカバレッジレベルに関連付けられた報告設定を決定するように構成される。
【０１２８】
別の態様によれば、ネットワークノードは、決定された報告設定を無線デバイスへ送信するように構成され得る。
【０１２９】
別の態様によれば、ネットワークノードは、無線デバイスから、決定された報告設定を用いた測定結果を受信するように構成され得る。
【０１３０】
別の態様によれば、ネットワークノードは、無線デバイスから、無線デバイスによりサポートされる１つ以上のカバレッジレベルの指標を受信するように構成され得る。更に、情報は、無線デバイスによりサポートされる１つ以上のカバレッジレベルを含み得る。また、ネットワークノードは、無線デバイスによりサポートされる１つ以上のカバレッジレベルからカバレッジレベルを決定するように構成され得る。
【０１３１】
別の態様によれば、ネットワークノードは、無線デバイスより報告された１つ以上の測定結果に基づいて報告設定を決定するように更に構成され得る。
【０１３２】
別の態様によれば、ネットワークノードは、測定結果に基づいて無線デバイスの１つ以上の動作パラメータを適合化するように構成され得る。
【０１３３】
一態様によれば、無線通信システムにおけるネットワークノードは、無線通信システムにおける無線デバイスのカバレッジレベルを示す情報を取得するための取得モジュールを有する。更に、ネットワークノードは、無線デバイスの異なるカバレッジレベルにそれぞれ関連付けられた異なる複数の報告設定の中から、取得された情報によって示されるカバレッジレベルに関連付けられた報告設定を決定するための決定モジュールを有する。
【０１３４】
別の態様によれば、ネットワークノードは、決定された報告設定を無線デバイスへ送信するための送信モジュールを有し得る。
【０１３５】
別の態様によれば、ネットワークノードは、無線デバイスから、決定された報告設定を用いた測定結果を受信するための受信モジュールを有し得る。
【０１３６】
別の態様によれば、ネットワークノードは、無線デバイスから、無線デバイスによりサポートされる１つ以上のカバレッジレベルの指標を受信するための受信モジュールを有し得る。更に、情報は、無線デバイスによりサポートされる１つ以上のカバレッジレベルを含み得る。また、取得モジュールは、無線デバイスによりサポートされる１つ以上のカバレッジレベルからカバレッジレベルを決定することを含み得る。
【０１３７】
別の態様によれば、決定モジュールは、無線デバイスより報告された１つ以上の測定結果に基づいて報告設定を決定することを含み得る。
【０１３８】
別の態様によれば、ネットワークノードは、測定結果に基づいて無線デバイスの１つ以上の動作パラメータを適合化するための適合化モジュールを有し得る。
【０１３９】
一態様によれば、無線通信システムにおけるネットワークノードはプロセッサとメモリを有する。メモリは、ネットワークノードが、無線通信システムにおける無線デバイスのカバレッジレベルを示す情報を取得するように構成される、プロセッサによって実行可能な命令を含む。更に、メモリは、ネットワークノードが、無線デバイスの異なるカバレッジレベルにそれぞれ関連付けられた異なる複数の報告設定の中から、取得された情報によって示されるカバレッジレベルに関連付けられた報告設定を決定するように構成される命令を含む。
【０１４０】
別の態様によれば、メモリは、ネットワークノードが、決定された報告設定を無線デバイスへ送信する命令を含み得る。
【０１４１】
別の態様によれば、メモリは、ネットワークノードが、無線デバイスから、決定された報告設定を用いた測定結果を受信する命令を含み得る。
【０１４２】
別の態様によれば、メモリは、ネットワークノードが、無線デバイスから、無線デバイスによりサポートされる１つ以上のカバレッジレベルの指標を受信する命令を含み得る。更に、情報は、無線デバイスによりサポートされる１つ以上のカバレッジレベルを含み得る。また、メモリは、ネットワークノードが、無線デバイスによりサポートされる１つ以上のカバレッジレベルからカバレッジレベルを決定する命令を含み得る。
【０１４３】
別の態様によれば、メモリは、ネットワークノードが、無線デバイスより報告された１つ以上の測定結果に基づいて報告設定を決定する命令を含み得る。
【０１４４】
別の態様によれば、メモリは、ネットワークノードが、測定結果に基づいて無線デバイスの１つ以上の動作パラメータを適合化する命令を含み得る。
【０１４５】
一態様によれば、ネットワークノードの少なくとも１つのプロセッサ上で実行されると、少なくとも１つのプロセッサにここに記載された方法のうちのいずれかを実行させる命令を含むコンピュータプログラムが提供される。更に、キャリアはコンピュータプログラムを含むことができ、当該キャリアは、電子信号、光信号、無線信号、またはコンピュータ可読記憶媒体のうちの１つである。
【図面の簡単な説明】
【０１４６】
本開示は、本開示の実施形態が示されている添付の図面を参照して以下でより十分に説明される。しかしながら、本開示は、ここに記載の実施形態に限定されると解釈されるべきではない。むしろ、これらの実施形態は、この開示が徹底的かつ完全であり、かつ開示の範囲を当業者に十分に伝えるように提供されている。全体を通して、同じ番号は同じ要素を指す。
【図１】図１は、本明細書で説明されるような様々な態様に従って無線デバイスのカバレッジレベルに関連付けられた報告設定を決定するためのシステムの１つの実施形態を示す。
【図２】図２は、本明細書で説明されるような様々な態様に従って無線デバイスのカバレッジレベルに関連付けられた報告設定を決定するため無線デバイスの１つの実施形態を示す。
【図３】図３は、本明細書で説明されるような様々な態様に従って無線デバイスのカバレッジレベルに関連付けられた報告設定を決定するための無線デバイスの別の実施形態を示す。
【図４】図４は、本明細書で説明されるような様々な態様に従って無線デバイスのカバレッジレベルに関連付けられた報告設定を決定するための無線デバイスの別の実施形態を示す。
【図５】図５は、本明細書で説明されるような様々な態様に従って無線デバイスのカバレッジレベルに関連付けられた報告設定を決定するため無線デバイスによる方法の１つの実施形態を示す。
【図６】図６は、本明細書で説明されるような様々な態様に従って無線デバイスのカバレッジレベルに関連付けられた報告設定を決定するためのネットワークノードの１つの実施形態を示す。
【図７】図７は、本明細書で説明されるような様々な態様に従って無線デバイスのカバレッジレベルに関連付けられた報告設定を決定するためのネットワークノードの別の実施形態を示す。
【図８】図８は、本明細書で説明されるような様々な態様に従って無線デバイスのカバレッジレベルに関連付けられた報告設定を決定するためのネットワークノードの別の実施形態を示す。
【図９】図９は、本明細書で説明されるような様々な態様に従って無線デバイスのカバレッジレベルに関連付けられた報告設定を決定するためのネットワークノードによる方法の１つの実施形態を示す。
【図１０】図１０は、本明細書で説明されるような様々な態様に従った無線デバイスの別の実施形態を示す。
【図１１】図１１は、本明細書で説明されるような様々な態様に従ったカバレッジモードの機能としての報告設定を示す。
【発明を実施するための形態】
【０１４７】
簡潔性および例示目的のために、本開示は、その例示的な実施形態を主に参照することによって説明される。以下の説明では、本開示の完全な理解を提供するために多数の具体的な詳細が説明される。しかしながら、本開示がこれらの具体的な詳細に限定されることなく実施されてもよいことは当業者には容易に明らかであろう。この説明では、本開示を不必要に曖昧にしないために、周知の方法および構造は詳細には説明されていない。
【０１４８】
本明細書に記載のシステムおよび方法は、無線デバイス（例えば、ＵＥ）のカバレッジレベルに関連する報告設定を決定することを含む。拡張カバレッジで動作している無線デバイスは、通常のカバレッジで動作しているワイヤレスデバイスと比較して電力が制限され得る。報告の分解能（resolution）は、低コストまたは複雑性の低い無線デバイスの場合には制限されることがあり、本明細書に記載のシステムおよび方法は、無線デバイスがそのカバレッジエリアに基づいて報告の分解能を適合化することを可能にする。これは、実際のチャネル状態に対応するネットワークノードによるより正確な決定（例えば、符号化率、変調方式、リソース割り当て）をもたらすネットワークノード（例えば、基地局）への報告に関するより正確な情報を提供する。図１は、本明細書で説明されるような様々な態様に従って無線デバイス１０５のカバレッジレベル１１３ａ〜１１３ｄに関連付けられた報告設定を決定するためのシステム１００の１つの実施形態を示す。図１において、ネットワークノード１０１（例えば基地局）は、無線デバイス１０５（例えばＵＥ）のカバレッジレベル１１３ａ〜１１３ｄ（例えば通常のカバレッジ、拡張カバレッジ）を示す情報（例えば信号測定値）を取得する。この取得された情報は、無線デバイス１０５にサービス提供するネットワークノード１０１が１つ以上のカバレッジレベルをサポートするという指標、ネットワークノード１０１へのランダムアクセス送信を行う無線デバイスにより送信または受信される信号の測定値、無線デバイス１０５に関連付けられたランダムアクセス設定、異なるカバレッジレベルをサポートするための無線デバイス１０５の機能、無線デバイス１０５の異なるカバレッジレベルの指標等を含み得る。
【０１４９】
図１では、ネットワークノード１０１は、無線デバイス１０５の異なるカバレッジレベル１１３ａ〜１１３ｄにそれぞれ関連付けられた異なる複数の報告設定１１５ａ〜１１５ｄ（例えば電力ヘッドルーム報告マッピング）を決定する。当該報告設定１１５ａ〜１１５ｄは、取得された情報により示されるカバレッジレベル１１３ａ〜１１３ｄに関連付けられる。ネットワークノード１０１はそして、無線デバイス１０５に、決定された報告設定１１５ａ〜１１５ｄを送信する。無線デバイス１０５はそしてこの情報を取得し、取得された情報により示されるカバレッジレベル１１３ａ〜１１３ｄに関連付けられた報告設定１１５ａ〜１１５ｄを決定する。また、無線デバイス１０５は、無線デバイス１０５により送信または受信された信号の測定を実行する。更に、無線デバイス１０５は、決定された報告設定１１５ａ〜１１５ｄを用いて信号測定値の指標を報告する。ネットワークノード１０１はその後決定された報告設定１１５ａ〜１１５ｄを用いた信号測定値の指標を受信し、１つ以上の動作パラメータ（例えば符号化率、変調方式、リソース割り当て）を適合化する。
【０１５０】
追加的にまたは代替的に、ネットワークノード１０１は、無線通信システム（例えば、ＮＢ−ＩｏＴ、ＮＲ、ＬＴＥ、ＬＴＥ−ＮＲ、５Ｇ、ＵＭＴＳ、ＧＳＭ等）をサポートするように構成され得る。更に、ネットワークノード１０１は、基地局（例えばｅＮＢ）、アクセスポイント、無線ルータ等であり得る。ネットワークノード１０１は、無線デバイス１０５といった無線デバイスにサービスを提供し得る。無線デバイス１０５は、無線通信システム（例えば、ＮＢ−ＩｏＴ、ＮＲ、ＬＴＥ、ＬＴＥ−ＮＲ、５Ｇ、ＵＭＴＳ、ＧＳＭ等）をサポートするように構成され得る。無線デバイス１０５は、ＵＥ、移動局（ＭＳ）、端末、携帯電話、携帯電話、携帯情報端末（ＰＤＡ）、スマートフォン、無線電話、オーガナイザー、ハンドヘルドコンピューター、携帯電話、または携帯電話、デスクトップコンピュータ、ラップトップコンピュータ、タブレットコンピュータ、セットトップボックス、テレビ、機器、ゲームデバイス、医療デバイス、表示デバイス、計量デバイス等であり得る。
【０１５１】
図２は、本明細書で説明されるような様々な態様に従って無線デバイスのカバレッジレベルに関連付けられた報告設定を決定するため無線デバイス２００の１つの実施形態を示す。図２において、無線デバイス２００は、受信器回路２０１、取得器回路２０３、決定回路２０５、実行器回路２０７、報告器回路２０９、送信器回路２１１等、またはそれらの組み合わせを含み得る。受信器回路２０１は、ネットワークノードから、無線デバイス２００のカバレッジレベルを示す情報を受信するように構成され得る。取得器回路２０３は、無線デバイス２００のカバレッジレベルを示す情報を取得するように構成され得る。決定回路２０５は、無線デバイスの異なるカバレッジレベルにそれぞれ関連付けられた異なる複数の報告設定の中から、取得された情報によって示されるカバレッジレベルに関連付けられた報告設定を決定するように構成される。実行器回路２０７は、無線デバイス２００により送信または受信された信号の測定を実行するように構成され得る。報告器回路２０９は、決定された報告設定を用いた測定結果を報告するように構成される。送信器回路２１１は、ネットワークノードへ、無線デバイスのカバレッジレベルの指標を送信するように構成され得る。
【０１５２】
図３は、本明細書で説明されるような様々な態様に従って無線デバイスのカバレッジレベルに関連付けられた報告設定を決定するため無線デバイス３００の１つの実施形態を示す。図３において、無線デバイス３００（例えばＵＥ）は、処理回路３０１、無線周波数（ＲＦ）通信回路３０５、アンテナ３０７等、またはそれらの組み合わせを有し得る。通信回路３０５は、あらゆる通信技術を介して、１つ以上のネットワークまたは１つ以上の他の無線デバイスへ情報を送信、またはそれらから情報を受信するように構成され得る。この通信は、無線デバイス３００の内部または外部にある１つ以上のアンテナ３０７を使用して行われ得る。処理回路３０１は、メモリ３０３に格納されているプログラム命令を実行すること等により、本明細書で説明されているような処理（例えば、図５の方法）を実行するように構成され得る。これに関する処理回路３０１は、特定の機能的手段、ユニット、またはモジュールを実装することができる。
【０１５３】
（図５の方法を実装するための）これらの機能的手段、ユニット、またはモジュールは、無線通信システムにおけるネットワークノードから、無線デバイスのカバレッジレベルを示す情報を受信するための受信モジュールまたはユニット３１１を有し得る。これらの機能的手段、ユニット、またはモジュールは、無線デバイスのカバレッジレベルを示す情報を取得するための取得モジュールまたはユニット３１３を有する。これらの機能的手段、ユニット、またはモジュールは、無線デバイスの異なるカバレッジレベルにそれぞれ関連付けられた異なる複数の報告設定の中から、取得された情報によって示されるカバレッジレベルに関連付けられた報告設定を決定するための決定モジュールまたはユニット３１５を有する。これらの機能的手段、ユニット、またはモジュールは、無線デバイス３００により送信または受信される信号の測定を実行するための、実行モジュールまたはユニット３１７を有し得る。これらの機能的手段、ユニット、またはモジュールは、決定された報告設定を用いた測定結果を報告するための報告モジュールまたはユニット３１９を有する。これらの機能的手段、ユニット、またはモジュールは、無線デバイスのカバレッジレベルの指標を、ネットワークノードへ送信するための送信モジュールまたはユニット３２１を有し得る。
【０１５４】
図４は、本明細書で説明されるような様々な態様に従って無線デバイスのカバレッジレベルに関連付けられた報告設定を決定するため無線デバイス４００の１つの実施形態を示す。図４において、無線デバイス４００は、（例えば図３の処理回路３０１またはソフトウェアを介して）様々な機能的手段、ユニット、またはモジュールを実装し得る。（図５の方法を実装するための）これらの機能的手段、ユニット、またはモジュールは、無線通信システムにおけるネットワークノードから、無線デバイスのカバレッジレベルを示す情報を受信するための受信モジュールまたはユニット４０１を有し得る。更に、これらの機能的手段、ユニット、またはモジュールは、無線デバイスのカバレッジレベルを示す情報を取得するための取得モジュールまたはユニット４０３を有する。これらの機能的手段、ユニット、またはモジュールは、無線デバイスの異なるカバレッジレベルにそれぞれ関連付けられた異なる複数の報告設定の中から、取得された情報によって示されるカバレッジレベルに関連付けられた報告設定を決定するための決定モジュールまたはユニット４０５を有する。また、これらの機能的手段、ユニット、またはモジュールは、無線デバイス４００により送信または受信される信号の測定を実行するための、実行モジュールまたはユニット４０７を有し得る。これらの機能的手段、ユニット、またはモジュールは、決定された報告設定を用いた測定結果を報告するための報告モジュールまたはユニット４０９を有する。これらの機能的手段、ユニット、またはモジュールは、無線デバイスのカバレッジレベルの指標を、ネットワークノードへ送信するための送信モジュールまたはユニット４１１を有し得る。
【０１５５】
図５は、本明細書で説明されるような様々な態様に従って無線デバイスのカバレッジレベルに関連付けられた報告設定を決定するため無線デバイスによる方法５００の１つの実施形態を示す。図５において、方法５００は、例えば、無線通信システムにおけるネットワークノードから、無線デバイスのカバレッジレベルを示す情報を受信することを含むブロック５０１において開始し得る。ブロック５０３において、方法５００は、無線デバイスのカバレッジレベルを示す情報を取得することを含む。ブロック５０５において、方法５００は、ネットワークノードへ、無線デバイスのカバレッジレベルの指標を送信することを含む。ブロック５０７において、方法５００は、無線デバイスの異なるカバレッジレベルにそれぞれ関連付けられた異なる複数の報告設定の中から、取得された情報によって示されるカバレッジレベルに関連付けられた報告設定を決定することを含む。ブロック５０９において、方法は、無線デバイスにより送信または受信された信号の測定を実行することを含み得る。ブロック５１１において、方法５００は、決定された報告設定を用いて測定結果を報告することを含む。
【０１５６】
図６は、本明細書で説明されるような様々な態様に従って無線デバイスのカバレッジレベルに関連付けられた報告設定を決定するためのネットワークノード６００の１つの実施形態を示す。図６において、無線デバイス６００は、受信器回路６０１、取得器回路６０３、決定回路６０５、適合化回路６０７、送信器回路６０９等、またはそれらの組み合わせを含み得る。取得器回路６０３は、無線通信システムにおける無線デバイスのカバレッジレベルを示す情報を取得するように構成され得る。決定回路６０５は、無線デバイスの異なるカバレッジレベルにそれぞれ関連付けられた異なる複数の報告設定の中から、取得された情報によって示されるカバレッジレベルに関連付けられた報告設定を決定するように構成される。適合化回路６０７は、測定結果に基づいて無線デバイスに対応する１つ以上の動作パラメータを適合化するように構成され得る。送信器回路６０９は、決定された報告設定を無線デバイスへ送信するように構成され得る。受信器回路６０１は、無線デバイスから、決定された報告設定を用いて測定結果を受信するように構成され得る。
【０１５７】
図７は、本明細書で説明されるような様々な態様に従って無線デバイスのカバレッジレベルに関連付けられた報告設定を決定するためのネットワークノード７００の１つの実施形態を示す。図７において、ネットワークノード７００（例えば基地局）は、処理回路７０１、無線周波数（ＲＦ）通信回路７０５、アンテナ７０７等、またはそれらの組み合わせを有し得る。通信回路７０５は、あらゆる通信技術を介して、１つ以上のネットワークまたは１つ以上の無線デバイスへ情報を送信、またはそれらから情報を受信するように構成され得る。この通信は、ネットワークノード７００の内部または外部にある１つ以上のアンテナ７０７を使用して行われ得る。処理回路７０１は、メモリ７０３に格納されているプログラム命令を実行すること等により、本明細書で説明されているような処理（例えば、図９の方法）を実行するように構成され得る。これに関する処理回路７０１は、特定の機能的手段、ユニット、またはモジュールを実装することができる。
【０１５８】
（図９の方法を実装するための）これらの機能的手段、ユニット、またはモジュールは、無線デバイスから、決定された報告設定を用いて測定結果を受信するための受信モジュールまたはユニット７１１を有し得る。更に、これらの機能的手段、ユニット、またはモジュールは、無線通信システムにおける無線デバイスのカバレッジレベルを示す情報を取得するための取得モジュールまたはユニット７１３を有する。これらの機能的手段、ユニット、またはモジュールは、無線デバイスの異なるカバレッジレベルにそれぞれ関連付けられた異なる複数の報告設定の中から、取得された情報によって示されるカバレッジレベルに関連付けられた報告設定を決定するための決定モジュールまたはユニット７１５を有する。これらの機能的手段、ユニット、またはモジュールは、決定された報告設定を無線デバイスへ送信するための送信モジュールまたはユニット７１７を有し得る。最終的に、これらの機能的手段、ユニット、またはモジュールは、測定結果に基づいて無線デバイスに対応する１つ以上の動作パラメータを適合化するための適合化モジュールまたはユニット７１９を有し得る。
【０１５９】
図８は、本明細書で説明されるような様々な態様に従って無線デバイスのカバレッジレベルに関連付けられた報告設定を決定するためのネットワークノード８００の１つの実施形態を示す。図８において、ネットワークノード８００は、（例えば図７の処理回路７０１またはソフトウェアを介して）様々な機能的手段、ユニット、またはモジュールを実装し得る。（図９の方法を実装するための）これらの機能的手段、ユニット、またはモジュールは、無線デバイスから、決定された報告設定を用いて測定結果を受信するための受信モジュールまたはユニット８０１を有し得る。更に、これらの機能的手段、ユニット、またはモジュールは、無線通信システムにおける無線デバイスのカバレッジレベルを示す情報を取得するための取得モジュールまたはユニット８０３を有する。これらの機能的手段、ユニット、またはモジュールは、無線デバイスの異なるカバレッジレベルにそれぞれ関連付けられた異なる複数の報告設定の中から、取得された情報によって示されるカバレッジレベルに関連付けられた報告設定を決定するための決定モジュールまたはユニット８０５を有する。これらの機能的手段、ユニット、またはモジュールは、決定された報告設定を無線デバイスへ送信するための送信モジュールまたはユニット８０７を有し得る。最終的に、これらの機能的手段、ユニット、またはモジュールは、測定結果に基づいて無線デバイスに対応する１つ以上の動作パラメータを適合化するための適合化モジュールまたはユニット８０９を有し得る。
【０１６０】
図９は、本明細書で説明されるような様々な態様に従って無線デバイスのカバレッジレベルに関連付けられた報告設定を決定するためのネットワークノードによる方法９００の１つの実施形態を示す。図９において、方法９００は、例えば、無線デバイスから、無線デバイスによりサポートされる１つ以上のカバレッジレベルの指標を受信することを含むブロック９０１において開始し得る。ブロック９０３において、方法９００は、無線通信システムにおける無線デバイスのカバレッジレベルを示す情報を取得することを含む。ブロック９０５において、方法９００は、無線デバイスの異なるカバレッジレベルにそれぞれ関連付けられた異なる複数の報告設定の中から、取得された情報によって示されるカバレッジレベルに関連付けられた報告設定を決定することを含む。ブロック９０７では、方法９００は、決定された報告設定を無線デバイスへ送信することを含み得る。ブロック９０９では、方法９００は、無線デバイスから、決定された報告設定を用いた測定結果を受信することを含み得る。ブロック９１１では、方法９００は、測定結果に基づいて無線デバイスに対応する１つ以上の動作パラメータを適合化することを含み得る。
【０１６１】
図１０は、本明細書で説明されるような様々な態様に従った無線デバイス１０００の別の実施形態を示す。いくつかの例において、無線デバイス１０００は、ユーザ装置（ＵＥ）、移動局（ＭＳ）、端末、携帯電話、携帯電話、携帯情報端末（ＰＤＡ）、スマートフォン、無線電話、オーガナイザー、ハンドヘルドコンピューター、携帯電話、または携帯電話、デスクトップコンピュータ、ラップトップコンピュータ、タブレットコンピュータ、セットトップボックス、テレビ、機器、ゲームデバイス、医療デバイス、表示デバイス、計量デバイス、またはいくつかの他のそのような用語で称され得る。他の例では、無線デバイス１０００は、ハードウェア構成要素のセットであり得る。図１０において、無線デバイス１０００は、入力／出力インタフェース１００５に動作可能に接続されたプロセッサ１００１、無線周波数（ＲＦ）インタフェース１００９、ネットワーク接続インタフェース１０１１、ランダムアクセスメモリ（ＲＡＭ）、読み取り専用メモリ（ＲＯＭ）１０１９、記憶媒体１０２１等を含むメモリ１０１５、通信サブシステム１０５１、電源１０３３、他の構成要素、またはそれらの任意の組み合わせを含んで構成され得る。記憶媒体１０２１は、オペレーティングシステム１０２３、アプリケーションプログラム１０２５、データ１０２７等を含み得る。特定のデバイスは、図１０に示される構成要素の全てを利用し得る。あるいは、構成要路のサブセットのみ、および統合のレベルはデバイスごとに異なり得る。更に、特定のデバイスは、複数のプロセッサ、メモリ、トランシーバ、送信機、受信機などのコンポーネントの複数のインスタンスを含み得る。例えば、コンピューティングデバイスは、プロセッサおよびメモリを含むように構成され得る。
【０１６２】
図１０において、プロセッサ１００１は、コンピュータの命令およびデータを処理するように構成される。プロセッサ１００１は、１つ以上のハードウェア実装状態機械（例えば、個別論理、ＦＰＧＡ、ＡＳＩＣ等）といった、機械可読コンピュータプログラムとしてメモリに格納された機械命令を実行するように動作する任意の逐次状態マシン、適切なファームウェアと共にプログラマブルロジック、マイクロプロセッサまたはデジタル信号プロセッサ（ＤＳＰ）といった１つ以上の複数のプログラム内蔵汎用プロセッサと適切なソフトウェア、または上記の任意の組み合わせとして構成され得る。例えば、プロセッサ１００１は、２つのコンピュータプロセッサを有し得る。１つの定義において、データは、コンピュータによる使用に適した形式の情報である。当業者であれば、本開示の主題が様々なオペレーティングシステムまたはオペレーティングシステムの組み合わせを使用して実施され得ることを認識することに留意することが重要である。
【０１６３】
現在の実施形態では、入力／出力インタフェース１００５は、入力デバイス、出力デバイス置、または入出力デバイスへの通信インタフェースを提供するように構成されてもよい。無線デバイス１０００は、入力／出力インタフェース１００５を介して出力デバイスを使用するように構成され得る。当業者であれば、出力デバイスが入力デバイスと同じタイプのインターフェースポートを使用できることを認識するであろう。例えば、ＵＳＢポートは、無線デバイス１０００への入力および無線デバイス１０００からの出力を提供するために使用され得る。出力デバイスは、スピーカ、サウンドカード、ビデオカード、ディスプレイ、モニタ、プリンタ、アクチュエータ、エミッタ、スマートカード、他の出力デバイス、またはそれらの任意の組み合わせであり得る。無線デバイス１０００は、ユーザが無線デバイス１０００に情報を取り込むことを可能にするために、入力／出力インタフェース１００５を介して入力デバイスを使用するように構成され得る。入力デバイスは、マウス、トラックボール、方向パッド、トラックパッド、プレゼンスセンシティブ入力デバイス、プレゼンスセンシティブディスプレイなどのディスプレイ、スクロールホイール、デジタルカメラ、デジタルビデオカメラ、ウェブカメラ、マイク、センサ、スマートカード等を含み得る。存在感応型（presence-sensitive）入力デバイスは、ユーザからの入力を検知するためのデジタルカメラ、デジタルビデオカメラ、ウェブカメラ、マイクロフォン、センサなどを含み得る。存在感応型入力デバイスは、存在感応型ディスプレイを形成するためにディスプレイと組み合わされてもよい。更に、存在感応型入力デバイスはプロセッサと接続されてもよい。センサは、例えば、加速度計、ジャイロスコープ、傾斜センサ、力センサ、磁力計、光学センサ、近接センサ、他の同様のセンサ、またはそれらの任意の組み合わせであり得る。例えば、入力デバイスは、加速度計、磁力計、デジタルカメラ、マイクロフォン、および光学センサであり得る。
【０１６４】
図１０において、ＲＦインタフェース１００９は、送信器、受信器、およびアンテナなどのＲＦ構成要素に通信インタフェースを提供するように構成され得る。ネットワーク接続インタフェース１０１１は、通信インタフェースをネットワーク１０４３ａに提供するように構成され得る。ネットワーク１０４３ａは、ローカルエリアネットワーク（ＬＡＮ）、ワイドエリアネットワーク（ＷＡＮ）、コンピュータネットワーク、無線ネットワーク、電気通信ネットワーク、他の同様のネットワーク、またはそれらの任意の組み合わせなどの有線および無線通信ネットワークを含み得る。例えば、ネットワーク１０４３ａは、Ｗｉ−Ｆｉネットワークであり得る。ネットワーク接続インタフェース１０１１は、当技術分野で知られている、またはイーサネット（登録商標）、ＴＣＰ／ＩＰ、ＳＯＮＥＴ、ＡＴＭといった、開発され得る１つまたは複数の通信プロトコルに従って通信ネットワークを介して１つまたは複数の他のノードと通信するために使用される受信器および送信器インタフェースを含むように構成され得る。ネットワーク接続インタフェース１０１１は、通信ネットワークリンクに適切な受信器および送信器機能（例えば、光、電気等）を実装し得る。送信器機能および受信器機能は、回路構成要素、ソフトウェア、またはファームウェアを共有することができ、あるいは代わりに別々に実装され得る。
【０１６５】
本実施形態では、ＲＡＭ１０１７は、オペレーティングシステム、アプリケーションプログラム、およびデバイスドライバなどのソフトウェアプログラムの実行中にデータまたはコンピュータ命令の記憶またはキャッシングを提供するためにバス１００３を介してプロセッサ１００１にインタフェースするように構成され得る。一例では、無線デバイス１０００は、少なくとも１２８メガバイト（１２８メガバイト）のＲＡＭを含み得る。ＲＯＭ１０１９は、コンピュータ命令またはデータをプロセッサ１００１に提供するように構成され得る。例えば、ＲＯＭ１０１９は、基本入出力（Ｉ／Ｏ）、起動、または不揮発性メモリに記憶されているキーボードからのキーストロークの受信などの基本的なシステム機能のための不変の低レベルシステムコードまたはデータであるように構成され得る。記憶媒体１０２１は、ＲＡＭ、ＲＯＭ、プログラム可能読み出し専用メモリ（ＰＲＯＭ）、消去可能プログラマブル読み出し専用メモリ（ＥＰＲＯＭ）、電気的消去可能プログラマブル読み出し専用メモリ（ＥＥＰＲＯＭ）、磁気ディスク、光ディスク、フロッピーディスク、ハードディスク、リムーバブルカートリッジ、フラッシュドライブ等のメモリを含むように構成され得る。一例では、記憶媒体１０２１は、オペレーティングシステム１０２３、ウェブブラウザアプリケーション、ウィジェットまたはガジェットエンジンまたは他のアプリケーションなどのアプリケーションプログラム１０２５、およびデータファイル１０２７を含むように構成され得る。
【０１６６】
図１０では、プロセッサ１００１は、通信サブシステム１０５１を使用してネットワーク１０４３ｂと通信するように構成され得る。ネットワーク１０４３ａとネットワーク１０４３ｂは、同じネットワークでも異なるネットワークでも異なるネットワークでもよい。通信サブシステム１０５１は、ネットワーク１０４３ｂと通信するために使用される１つまたは複数のトランシーバを含むように構成され得る。１つまたは複数のトランシーバは、ＩＥＥＥ ８０２．ｘｘ、ＣＤＭＡ、ＷＣＤＭＡ、ＧＳＭ、ＬＴＥ、ＵＴＲＡＮ、ＷｉＭａｘ等といった、当技術分野で知られているかまたは開発され得る１つまたは複数の通信プロトコルに従って、無線アクセスネットワーク（ＲＡＮ）の基地局などの別の無線デバイスの１つまたは複数の遠隔（リモート）トランシーバと通信するために使用され得る。
【０１６７】
別の例では、通信サブシステム１０５１は、ＩＥＥＥ ８０２．ｘｘ、ＣＤＭＡ、ＷＣＤＭＡ、ＧＳＭ、ＬＴＥ、ＵＴＲＡＮ、ＷｉＭａｘ等といった、当技術分野で知られているまたは開発され得る１つまたは複数の通信プロトコルに従ってユーザ装置などの別の無線デバイスの１つまたは複数の遠隔トランシーバと通信するために使用される１つまたは複数のトランシーバを含むように構成され得る。各トランシーバは、ＲＡＮリンク（例えば、周波数割り当てなど）に適切な、それぞれ送信器または受信器の機能を実装するための送信器１０５３または受信器１０５５を含むことができる。更に、各トランシーバの送信器１０５３および受信器１０５５は、回路構成要素、ソフトウェアまたはファームウェアを共有してもよく、あるいは別々に実装されてもよい。
【０１６８】
本実施形態では、通信サブシステム１０５１の通信機能は、データ通信、音声通信、マルチメディア通信、ブルートゥースなどの近距離通信、近距離無線通信、位置を決定するための全地球測位システム（ＧＳＭ）の使用などの位置ベースの通信、他の同様の通信機能、またはそれらの任意の組み合わせを含み得る。例えば、通信サブシステム１０５１は、セルラ通信、Ｗｉ−Ｆｉ通信、Ｂｌｕｅｔｏｏｔｈ（登録商標）通信、およびＧＰＳ通信を含み得る。ネットワーク１０４３ｂは、ローカルエリアネットワーク（ＬＡＮ）、ワイドエリアネットワーク（ＷＡＮ）、コンピュータネットワーク、無線ネットワーク、電気通信ネットワーク、他の同様のネットワーク、またはそれらの任意の組み合わせなどの有線および無線通信ネットワークを含み得る。例えば、ネットワーク１０４３ｂは、セルラネットワーク、Ｗｉ−Ｆｉネットワーク、および近距離ネットワークであり得る。電源１０１３は、無線デバイス１０００の構成要素に交流（ＡＣ）または直流（ＤＣ）電力を供給するように構成され得る。
【０１６９】
図１０において、記憶媒体１０２１は、独立ディスクの冗長アレイ（ＲＡＩＤ）、フロッピー（登録商標）ディスクドライブ、フラッシュメモリ、ＵＳＢフラッシュドライブ、外付けハードディスクドライブ、サムドライブ、ペンドライブ、キードライブ、高密度デジタル多用途ディスク（ＨＤ−ＤＶＤ）光ディスクドライブ、内蔵ハードディスクドライブ、ブルーレイ光ディスクドライブ、ホログラフィックデジタルデータストレージ（ＨＤＤＳ）光ディスクドライブ外部ミニデュアルインラインメモリモジュール（ＤＩＭＭ）同期ダイナミックランダムアクセスメモリ（ＳＤＲＡＭ）、外部マイクロＤＩＭＭ ＳＤＲＡＭ、加入者識別モジュールなどのスマートカードメモリ、またはリムーバブルユーザ識別（ＳＩＭ／ＲＵＩＭ）モジュール、他のメモリ、またはそれらの任意の組み合わせ等といった、いくつかの物理ドライブユニットを含むように構成され得る。記憶媒体１０２１は、無線デバイス１０００が、一時的または非一時的記憶媒体に記憶されたコンピュータ実行可能命令、アプリケーションプログラムなどにアクセスし、データをオフロードする、またはデータをアップロードすることを可能にし得る。通信システムを利用するものなどの製品は、コンピュータ可読媒体を含むことができる記憶媒体１０２１内に有形に具体化することができる。
【０１７０】
本明細書に記載の方法の機能性は、無線デバイス１０００の構成要素のうちの１つに実装されてもよく、または無線デバイス１０００の複数の構成要素にわたって分割されてもよい。更に、本明細書で説明されている方法の機能は、ハードウェア、ソフトウェア、またはファームウェアの任意の組み合わせで実装され得る。一例では、通信サブシステム１０５１は、本明細書に記載の構成要素のいずれかを含むように構成され得る。更に、プロセッサ１００１は、バス１００３を介してそのような構成要素のいずれかと通信するように構成され得る。別の例では、そのような構成要素のいずれも、プロセッサ１００１によって実行されたときに本明細書に記載の対応する機能を実行する、メモリに格納されたプログラム命令によって表すことができる。別の例では、そのような構成要素のうちのいずれかの機能は、プロセッサ１００１と通信サブシステム１０５１との間で区分され得る。別の例では、そのような構成要素のうちのいずれかの非計算集約的機能はソフトウェアまたはファームウェアで実装され得、計算集約的機能はハードウェアで実装され得る。
【０１７１】
一実施形態では、少なくとも２つのカバレッジレベルで動作することができるＵＥによって実行される方法は、第２のノード（例えば、第１のセル（セル１）または別のＵＥ）に関するＵＥのカバレッジ強化レベル（ＣＥ）に関する情報を取得することを含む。更に、方法は、第１のセルのＣＥレベルに関して取得された情報に基づいて報告設定を決定または選択することを含む。また、方法は、ノード（例えば、セル１または別のＵＥ、ＵＥ２）から受信された、またはノードに送信された信号に対して少なくとも１つの測定を実行することを含む。更に、方法は、決定されたまたは選択された報告設定を使用して、実行された測定の結果を第１のノード（例えば、ネットワークノードまたは別のＵＥ）に報告することを含む。
【０１７２】
別の実施形態では、方法は、取得されたカバレッジレベルを別のノード（例えば、ネットワークノード）に示す（知らせる）ことを含み得る。
【０１７３】
他の実施形態では、方法は、取得した情報の全部または一部を格納することを含み得る。
【０１７４】
別の実施形態では、方法は、取得した情報に基づいて、既知のまたは取得した報告設定のうちの１つを選択することを含み得る。
【０１７５】
一実施形態では、少なくとも２つのカバレッジレベルで動作することができるＵＥによって実行される方法は、第２のノード（例えば、第１のセル（セル１）または別のＵＥ）に関するＵＥのＣＥレベルに関する情報を取得することを含む。更に、方法は、第２のノード（例えば、セル１またはＵＥ２）に関するＵＥのＣＥレベルに関する取得された情報に基づいて、第１のノードに送信するためにＵＥによって使用されるべき報告設定、第2のノードで実行される測定結果を決定することを含む。
【０１７６】
別の実施形態では、方法は、１つ以上のカバレッジレベルのサポートに関連するＵＥ能力を受信することを含み得る。
【０１７７】
別の実施形態では、方法は、決定された報告設定をＵＥに送信することを含み得る。
【０１７８】
別の実施形態では、方法は、測定の結果を示す、決定された受信された報告情報に基づいて、スケジューリングを適合化することを含み得る。
【０１７９】
一実施形態では、第１のノード（ノード１）と第２のノード（ノード２）は、異なり得る。例えば、ＵＥは隣接セルで測定を行い、サービングセルに結果を報告する。
【０１８０】
別の実施形態では、第１のノード（ノード１）と第２のノード（ノード２）は、同じであり得る（例えば、ＵＥはサービングセルで測定を行い、同じサービングセルに結果を報告する）。
【０１８１】
いくつかの実施形態では、本明細書に記載される方法は、それが動作しているカバレッジエリアに応じて、ＵＥによる適応的報告を可能にすることができる。拡張カバレッジで動作しているＵＥは、通常のカバレッジＵＥと比較して電力が制限されている可能性がある。報告の分解能は、場合によっては、低コストで複雑性の低いＵＥに対して制限されることがあり、この方法は、ＵＥがそのカバレッジエリアに基づいて報告の解像度を適応させることを可能にすることがある。これは、ネットワークノードへの報告に関するより正確な情報を提供し、ネットワークノードによって行われるより正確な決定をもたらす（例えば、より良い符号化率、より良い変調方式、および実際のチャネル状態に一致するより良いリソースがネットワークノードによって選択される）。
【０１８２】
いくつかの実施形態では、ネットワークノードは、任意の種類の無線ネットワークノード、またはＵＥと通信する、または別のネットワークノードと通信する任意のネットワークノードに対応する。ネットワークノードの例には、ノードＢ、マスター進化型ノードＢ（ＭｅＮＢ）、セカンダリ進化型ノードＢ（ＳｅＮＢ）、マスターセルグループ（ＭＣＧ）またはセカンダリセルグループ（ＳＣＧ）に属するネットワークノード、基地局（ＢＳ）、マルチスタンダード無線基地局（ＭＳＲ ＢＳ）といったマルチスタンダード多規格無線（ＭＳＲ）無線ノード、発展型ノードＢ（ｅＮｏｄｅＢ）、ネットワーク制御装置（ＮＣ）、無線ネットワーク制御装置（ＲＮＣ）、基地局制御装置（ＢＳＣ）、中継機、ドナーノード制御中継機、無線基地局（ＢＴＳ）、アクセスポイント（ＡＰ）、送信ポイント、送信ノード、遠隔無線ユニット（ＲＲＵ）、遠隔無線ヘッド（ＲＲＨ）、分散アンテナシステム（ＤＡＳ）内のノード、コアネットワークノード（例えば、移動交換局（ＭＳＣ）、モビリティ管理エンティティ（ＭＭＥ））、運用管理（Ｏ＆Ｍ）ノード、運用支援システム（ＯＳＳ）ノード、自己組織化ネットワーク（ＳＯＮ）ノード、ポジショニングノード（例えば、進化型サービング移動体位置検出センター（Ｅ−ＳＭＬＣ））、運転試験最小化（ＭＤＴ）ノード等を含む。
【０１８３】
いくつかの実施形態では、ＵＥは、セルラ通信システムまたはモバイル通信システム内のネットワークノードまたは別のＵＥと通信する任意のタイプの無線デバイスに対応する。ＵＥの例には、ターゲットデバイス、デバイス間（Ｄ２Ｄ）ＵＥ、近接可能ＵＥ（例えば、近接サービス（ＰｒｏＳｅ）ＵＥ）、マシンタイプＵＥ、またはマシン・ツー・マシン（Ｍ２Ｍ）通信可能なＵＥ、拡張マシンタイプ通信（ｅＭＴＣ）ＵＥ、パーソナルデジタルアシスタント（ＰＤＡ）、パッド、タブレット、携帯端末、スマートフォン、ラップトップ内蔵機器（ＬＥＥ）デバイス、ラップトップ搭載機器（ＬＭＥ）、ＵＳＢドングル等が含まれる。ＭＴＣ対応ＵＥはまた、特定のＵＥカテゴリに関して定義されてもよい。そのようなＵＥカテゴリの例は、ＬＴＥ ＵＥカテゴリ０、ＬＴＥ ＵＥカテゴリＭ１、ＬＴＥ ＵＥカテゴリ狭帯域１（ＮＢ１）、ＥＣ−ＧＳＭ−ＩｏＴ等を含む。以下の表１は、これらのＵＥカテゴリの様々な特性を要約する。
【表１】
2019522928.tif 000005
【０１８４】
いくつかの実施形態では、本明細書で説明される方法は、ＵＥが１つより多いサービングセルにデータを受信または送信することができる、ＵＥのシングルキャリアならびにマルチキャリアまたはキャリアアグリゲーション（ＣＡ）動作を含み得る。キャリアアグリゲーション（ＣＡ）は、マルチキャリアシステム、マルチセル動作、マルチキャリア動作、マルチキャリア送信または受信とも呼ばれる。ＣＡでは、コンポーネントキャリア（ＣＣ）のうちの１つがプライマリコンポーネントキャリア（ＰＣＣ）であり、これはプライマリキャリアまたはアンカーキャリアとも呼ばれる。残りのＣＣは、セカンダリコンポーネントキャリア（ＳＣＣ）、セカンダリキャリア、または補助キャリアと呼ばれる。サービングセルは、プライマリセル（ＰＣｅｌｌ）またはプライマリサービングセル（ＰＳＣ）とも呼ばれる。同様に、セカンダリサービングセル（ＳＳＣ）は、セカンダリセル（ＳＣｅｌｌ）とも呼ばれる。
【０１８５】
実施形態のいくつかはＬＴＥについて説明されているが、これらの実施形態は、ＬＴＥ周波数分割複信（ＦＤＤ）、ＬＴＥ時分割複信（ＴＤＤ）、広帯域符号分割多重アクセス（ＷＣＤＭＡ）、高速パケットアクセス（ＨＳＰＡ）、移動体通信用グローバルシステム（ＧＳＭ）、ＧＳＭエボリューションの拡張データレート（ＥＤＧＥ）、ＧＳＭ ＥＤＧＥ  ＲＡＮ（ＧＥＲＡＮ）、ＷｉＦｉ、無線ローカルエリアネットワーク（ＷＬＡＮ） 、ＣＤＭＡ２０００、３ＧＰＰ Ｎｅｗ Ｒａｄｉｏ（ＮＲ）等の任意の無線アクセス技術（ＲＡＴ）システムまたはマルチＲＡＴシステムに適用可能である。
【０１８６】
実施形態のいくつかは、任意のＲＲＣ状態（例えば、ＲＲＣ＿ＩＤＬＥ、ＲＲＣ＿ＣＯＮＮＥＣＴＥＤ）に適用される。
【０１８７】
いくつかの実施形態では、ＵＥおよび無線デバイスという用語は同じ意味に使用されることがある。ＵＥは、無線信号を介してネットワークノードまたは他のＵＥと通信することができる任意の種類の無線デバイスであり得る。ＵＥはまた、無線通信装置、ターゲット装置、Ｄ２Ｄ ＵＥ、マシンタイプＵＥ、Ｍ２Ｍが可能なＵＥ、低コストまたは低複雑度のＵＥ、ＵＥを備えたセンサ、タブレット、携帯端末、スマートフォン、ＬＥＥ、ＬＭＥ、ＵＳＢドングル、顧客宅内機器（ＣＰＥ）等であり得る。
【０１８８】
いくつかの実施形態では、ネットワークノードは、基地局、無線基地局（ＲＢＳ）、無線基地局（ＢＳＳ）、ＢＳＣ、ＮＣ、ＲＮＣ、ｅＮＢ、ノードＢ、コアネットワークノード（例えば、ＭＭＥ）、ノードＧ、測位ノード（例えば、Ｅ−ＳＭＬＣ）、マルチセル／マルチキャスト協調エンティティ（ＭＣＥ）、中継ノード、アクセスポイント、無線アクセスポイント、ＲＲＵ、ＲＲＨ等である。ネットワークノードは、互換的に無線ネットワークノードと呼ばれ得る。
【０１８９】
いくつかの実施形態では、ノードはネットワークノードまたはＵＥである。
【０１９０】
いくつかの実施形態では、ＵＥは、ＰＣｅｌｌおよびプライマリ/セカンダリセル（ＰＳＣｅｌｌ）、あるいはＰＣｅｌｌ、ＰＳＣｅｌｌおよび1つまたは複数のＳＣｅｌｌ（デュアルコネクティビティやキャリアアグリゲーション等）で構成される。構成されたセルは、ＵＥ固有である（例えば、ＵＥのサービングセル）。
【０１９１】
いくつかの実施形態では、ＵＥは、ＵＥによって既に識別されているサービングセルによりサービスを受ける。ＵＥは更に、ターゲットセルまたは隣接セルと呼ばれることがある少なくとも１つの他のセルを識別する。
【０１９２】
いくつかの実施形態では、サービングセルおよび隣接セルは、第１および第２のネットワークノードのそれぞれによりサービスを受けるまたは管理される。いくつかの実施形態では、サービングセルおよび隣接セルは、第１のネットワーク等の同じネットワークノードによりサービスを受けるまたは管理される。
【０１９３】
いくつかの実施形態では、ＵＥは、低アクティビティ状態または高アクティビティ状態で動作する。低アクティビティ状態の例は、ＲＲＣアイドル状態、アイドルモード等を含む。低アクティビティ状態の例は、ＲＲＣ ＣＯＮＮＥＣＴＥＤ状態、アクティブモード、アクティブ状態等を含む。ＵＥは、不連続受信（ＤＲＸ）または非ＤＲＸで動作するように構成され得る。ＤＲＸで動作するように構成されている場合、ＵＥは、ネットワークノードから新しい送信を受信する限り、依然として非ＤＲＸに従って動作してもよい。
【０１９４】
いくつかの実施形態では、ＵＥは、アップリンクまたはダウンリンクで、セル内で送信される任意の１つの無線信号または無線信号の組合せに対して任意のタイプの１つ以上の測定（例えば無線測定）を実行し得る。更に、ＵＥは、測定結果をネットワークノードに報告し得る。結果は、報告設定を使用して報告され得る。報告設定の例は、測定報告マッピングである。測定報告マッピングはまた、報告マッピング、測定報告範囲、報告可能な測定値、測定シグナリング範囲、測定シグナリングマッピング等と互換的に呼ばれる。ＵＥがネットワークノードまたは別のＵＥに測定結果をシグナリングすることを可能にするために、同じタイプの測定について、少なくとも２つの異なる測定報告マッピングが利用可能である（例えば、事前定義、別のノードによって構成される等）。報告マッピングは、少なくとも３つのパラメータを含む。最小の報告可能な測定値、最大の報告可能な測定値、および連続する報告可能な値の間の少なくとも１つの分解能または粒度。報告マッピングは、２つ以上の報告分解能を含み得る。
【０１９５】
いくつかの実施形態では、測定は、１つ以上のサービングセルまたは１つ以上の隣接セルにおいてＵＥにより実行され得る。無線信号は、参照信号または物理チャネル（例えば、ＰＤＳＣＨ、ＰＤＣＣＨ、強化型ＰＤＣＣＨ（Ｅ−ＰＤＣＣＨ）、ＰＵＳＣＨ、ＰＵＣＣＨ等）を搬送する信号といった１つ以上の物理信号であり得る。物理チャネルは、高レイヤの情報を伝搬する。ダウンリンク参照信号の例は、ＰＳＳ、ＳＳＳ、ＣＲＳ、ＣＳＩ−ＲＳ、ＰＲＳ等を含む。アップリンク参照信号の例は、ＳＲＳ、ＤＭＲＳ等を含む。参照信号（ＲＳ）はまた、互換的にディスカバリ信号とも称される。ダウンリンクまたはアップリンクでＵＥにより実行され得る測定の例は、信号対干渉雑音比（ＳＩＮＲ）、セルサーチ（例えばセル識別）、電力ヘッドルーム（ＰＨ）、ＲＳＲＰ、ＲＳＲＱ、ＲＳ−ＳＩＮＲ、興津参照信号ＳＩＮＲ（ＣＲＳ−ＳＩＮＲ）、ＣＳＩ−ＲＳＲＰ、ＣＳＩ−ＲＳＲＱ、サイドリンクＲＳＲＰ（Ｓ−ＲＳＲＰ）、ＣＱＩ、ＣＳＩ、ＵＥ受信送信時間差、ダウンリンク参照信号ＳＩＮＲ（ＤＲＳ−ＳＩＮＲ）等を含む。ＰＨは、対数スケール（例えば、ＸｄＢ）で表される信号上の最大ＵＥ電力と送信電力との間の差である。ＰＨは、アップリンク信号（例えば、ＰＵＣＣＨ、ＰＵＳＣＨ、ＰＲＡＣＨ、ＮＰＵＳＣＨ、ＮＰＵＣＣＨ、ＭＲＡＣＨ）のいずれかで送信される信号（例えばＲＳ）上で実行され得る。
【０１９６】
いくつかの実施形態では、ＵＥは、そのサービングセルに関して、通常のカバレッジまたは拡張カバレッジのいずれかの下で動作し得る。拡張（enhanced）カバレッジはまた、互換的に拡大（extended）カバレッジと称される。ＵＥはまた、複数のカバレッジレベル（例えば、通常のカバレッジ、拡張カバレッジレベル１、拡張カバレッジレベル２、拡張カバレッジレベル３など）で動作し得る。通常および拡張カバレッジの動作は、通常、システム帯域幅（例えば、セル帯域幅、セル送信帯域幅、ダウンリンクシステム帯域幅など）と比較してより狭いＵＥ  ＲＦ帯域幅で行われ得る。いくつかの実施形態では、ＵＥ  ＲＦ帯域幅は、システム帯域幅と同じであり得る。狭帯域ＲＦ帯域幅の例は、２００ｋＨｚ、１．４ＭＨｚ等を含む。システム帯域幅の例は、２００ｋＨｚ、１．４ＭＨｚ、３ＭＨｚ、５ＭＨｚ、１０ＭＨｚ、１５ＭＨｚ、２０ＭＨｚを含む。拡張／進化型カバレッジの場合、レガシーシステムで動作しているときの能力と比較して、ＵＥは、より低い信号品質レベル（例えば、ＳＮＲ、ＳＩＮＲ、サブキャリアあたりの平均受信信号エネルギー対サブキャリアあたりの総受信電力の比（Ｅ＾ｓ／Ｉｏｔ）、ＲＳＲＱ等）の下で動作することができる。カバレッジレベルの拡張（向上／強化）は、運用シナリオによって変わる可能性があり、またＵＥタイプにも依存する可能性がある。例えば、カバレッジが悪い地下室に位置するＵＥは、セル境界にあるＵＥ（例えば５ｄＢ）と比較してより高いレベルのカバレッジ拡張（例えば１０ｄＢ）を必要とすることがある。カバレッジレベルは、そのサービングセルに関するＵＥにおける受信信号品質または受信信号強度、またはＵＥに関するサービングセルにおける受信信号品質または受信信号強度に関して表現され得る。
【０１９７】
いくつかの実施形態では、ＵＥのカバレッジレベルまたはＣＥレベルはまた、隣接セルなどの任意のセルに関して定義され得る。例えば、ＵＥが１つまたは複数の無線測定を実行するターゲットセルに関するＵＥでの受信信号品質または受信信号強度に関して。信号品質の例は、ＳＮＲ、ＳＩＮＲ、ＣＱＩ、ＲＳＲＱ、ＣＲＳ Ｅ＾ｓ／Ｉｏｔ、ＳＣＨ Ｅ＾ｓ／Ｉｏｔ等である。信号強度の例は、経路損失、ＲＳＲＰ、ＳＣＨ＿ＲＰなどである。表記Ｅ＾ｓ／ Ｉｏｔは、Ｉｏｔに対するＥ＾ｓの比として定義される。Ｅ＾ｓは、ＵＥアンテナコネクタにおけるシンボルの有効部分（例えば、サイクリックプレフィックスを除外するシンボルの部分）中のリソース要素当たりの受信エネルギー（例えば、サブキャリア間隔に対して正規化された電力）である。Ｉｏｔは、ＵＥアンテナコネクタで測定された、あるリソース要素に対する総雑音および干渉の受信電力スペクトル密度（例えば、リソース要素にわたって積分され、サブキャリア間隔に対して正規化された電力）である。１つの例では、ＵＥにおいて信号品質（例えばＳＮＲ）に関して定義された２つのカバレッジレベルは、そのサービングセルに関してＵＥにおいてＳＮＲ≧−６ｄＢを有するカバレッジ拡張レベル１（ＣＥ１）と、そのサービングセルに関してＵＥにおいて−１２ｄＢ≦ＳＮＲ ＜−６ｄＢを有するカバレッジ拡張レベル２（ＣＥ２）とを含む。別の例では、４つのカバレッジレベルは、ＣＥ１、ＣＥ２、そのサービングセルに関してＵＥにおいて−１５ｄＢ≦ＳＮＲ ＜−１２ｄＢを有するカバレッジ拡張レベル３（ＣＥ３）、および、サービングセルに関してＵＥにおいて１８ｄＢ≦ＳＮＲ ＜−１５ｄＢを有するカバレッジ向上レベル４（ＣＥ４）を含む。これらの例では、ＣＥ１はまた、通常のカバレッジレベル、ベースラインのカバレッジレベル、参照のカバレッジレベル、レガシーのカバレッジレベルなどと互換的に称され得る。一方、ＣＥ２〜ＣＥ４は、拡張カバレッジ、拡大カバレッジレベル等と呼ばれ得る。
【０１９８】
更に別の例では、２つの異なるカバレッジレベル（例えば、ＣＥモードＡとＣＥモードＢ）を定義することができる。ＵＥカテゴリＸがＣＥモードＡおよびセルの同期チャネル（ＳＣＨ）Ｅ＾ｓ／Ｉｏｔ≧−６ｄＢ、およびセル固有参照信号（ＣＲＳ）Ｅ＾ｓ／Ｉｏｔ≧−６ｄＢで構成されているという条件で、ＵＥカテゴリＸはセルのＣＥモードＡ（すなわちＣＥＭｏｄｅＡ）の要件を満たす。ＵＥカテゴリＸがＣＥモードＢおよびセルのＳＣＨ  Ｅ＾ｓ／Ｉｏｔ≧−１５ｄＢおよびＣＲＳ  Ｅ＾ｓ／Ｉｏｔ≧／−１５ｄＢで構成されているという条件で、ＵＥカテゴリＸはＣＥモードＢ（すなわちＣＥＭｏｄｅＢ）の要件を満たす。ＵＥカテゴリＸの例は、ＵＥカテゴリＭ１（例えば、１．４ＭＨｚのＲＦ帯域幅）である。ＣＥモードＡおよびＢはまた、それぞれ通常および拡張カバレッジレベルと互換的に称される。
【０１９９】
更に別の例では、信号品質レベルに関して２つの異なるカバレッジレベル（例えば、通常のカバレッジと拡張カバレッジ）が定義され得る。そのセルに関するＵＥの無線状態がＳＣＨ  Ｅ＾ｓ／Ｉｏｔ≧−６ｄＢおよびＣＲＳ  Ｅ＾ｓ／Ｉｏｔ≧−６として定義されるならば、通常のカバレッジの要件はセルに関するＵＥカテゴリＭ１に適用可能である。そのセルに関するＵＥの無線状態がＳＣＨ   Ｅ＾ｓ／Ｉｏｔ≧−１５ｄＢおよびＣＲＳ  Ｅ＾ｓ／Ｉｏｔ≧−１５として定義されるならば、拡張カバレッジの要件はセルに関するＵＥカテゴリＭ１に適用可能である。
【０２００】
これらの例では、Ｅ＾ｓ／Ｉｏｔは、サブキャリア当たりの雑音を含む総干渉に対する、サブキャリア当たりの受信電力の比である。例えば、ＵＥカテゴリＮＢ１（例えば、２００ＫＨｚのＲＦ帯域幅）に対するＵＥは、異なるＣＥモードで構成されていないが、２つの異なるカバレッジレベルは、上述のようにそれらのサポートされる最低信号品質に関して異なる。
【０２０１】
一実施形態では、少なくとも２つのカバレッジレベルの下で動作することができるＵＥにおける方法は、ノード（例えば、第１のセル（セル１）または別のＵＥ、ＵＥ２）に関してＵＥのＣＥレベルに関する情報を取得することを含む。更に、方法は、セル１のＣＥレベルについて取得された情報に基づいて測定結果を送信するための報告設定を決定することを含む。また、方法は、ノード（例えば、セル１または別のＵＥ、ＵＥ２）から受信された、または当該ノードに送信された信号に対して少なくとも１つの測定を実行することを含む。更に、方法は、決定された／選択された報告設定を用いて、実行された測定の結果をノード（例えば、ネットワークノードまたは別のＵＥ）に報告または送信することを含む。
【０２０２】
別の実施形態では、方法は、取得されたカバレッジレベルを別のノード（例えばネットワークノード）に示す（知らせる）ことを含み得る。
【０２０３】
別の実施形態では、方法は、取得した情報、少なくともその一部を格納することを含み得る。
【０２０４】
別の実施形態では、方法は、取得した情報に基づいて、既知のまたは取得した報告設定のうちの１つを選択することを含み得る。
【０２０５】
いくつかの実施形態では、報告設定は、無線リソース管理（ＲＲＭ）測定値（例えば、ＲＳＲＰ、ＲＳＲＱ、ＮＲＳＲＰ、ＮＲＳＲＱ等）の報告を含むことができる。しかしながら、報告設定はまた、ＵＥにおける電力ヘッドルーム情報をネットワークノードに報告することを含み得る。報告設定は、最小報告可能値、最大報告可能値、分解能などに関する情報を含み得る。全ての種類の報告は、ＵＥのより高いアクティビティ状態（例えば、ＲＲＣ ＣＯＮＮＥＣＴＥＤ状態）で行われると予想される。
【０２０６】
いくつかの実施形態では、第１のネットワークノードによってサービス提供または管理される第１のセルに関するＵＥのＣＥレベルに関する情報は、以下のうちの１つ以上に基づいて取得され得る。
・ＵＥがサービングセルの拡張カバレッジの下にあるかどうかの指標。
・ＵＥがサービングセルの特定のカバレッジレベル（例えば、ＣＥレベル２）の下にあるかどうかの指標。
・セルに対するＣＥに関する情報は、セルが拡張カバレッジの下でＵＥ動作をサポートするかどうかの指示を更に含むことができる。
・無線測定（例えば、セル１で送信された信号の測定値、干渉または雑音レベルの測定値、信号レベル、信号品質、タイミング測定など）。
・１つ以上の条件または基準に関する評価。
・セル１において第２のメッセージ（Ｍ２）を送信するためのランダムアクセス設定。
・ある１つ以上のカバレッジレベルをサポートするためのＵＥ能力。
・カバレッジレベルに関連するネットワークノードからの支援（例えば、適用可能なまたは推奨されるカバレッジレベル、閾値（Ｈ）などのうちの任意の１つまたは複数を含む）。
・セル２に関して動作するために、通常のカバレッジまたは拡張カバレッジを示すインジケータが考慮されるべきである。
・履歴または過去の統計（例えば、少なくともＬ％の時間のセル１に関してカバレッジレベルがＵＥによって使用されていると仮定して、特定のカバレッジレベルを仮定する）。
・セル１に関するカバレッジレベルに関してＵＥに記憶された情報。
【０２０７】
無線測定の別の例として、セル１のＳＩＮＲまたはＳＮＲが−６ｄＢ未満である場合、ＵＥはセル１が拡張カバレッジにあると仮定する。しかしながら、セル１のＳＩＮＲまたはＳＮＲが−６ｄＢ以上である場合、ＵＥはセル１が通常のカバレッジにあると仮定する。
【０２０８】
１つ以上の条件または基準に関する評価に対して、これは、セル１上でのランダムアクセス送信に使用される反復回数（Ｒ）（例えば、セル１に関するＵＥの通常のカバレッジに対してはＲ≦８、セル１に関するＵＥの拡張カバレッジに対してはＲ＞８）によって表現され得る。
【０２０９】
いくつかの実施形態では、同じことを示すために、通常のカバレッジおよび拡張カバレッジの代わりに他の用語を使用することができる（例えば、ＣＥモードＡまたはＣＥモードＢ）。
【０２１０】
いくつかの実施形態では、セル１のＵＥ無線測定（例えば、信号品質）の結果の値が閾値（Ｈ）以上であるという条件で、セル１に関して第１のカバレッジレベル（ＣＥ１）にあるとＵＥが決定され得る。セル１のＵＥ無線測定結果の値がＨ未満であれば、ＵＥはセル１に関して第２のカバレッジレベル（ＣＥ２）にあると見なされる。セル１はサービングセルまたは非サービングセル（例えば、隣接セル）であり得る。後者の場合、セル１はサービングキャリア周波数または非サービングキャリア周波数で動作している可能性がある。
【０２１１】
いくつかの実施形態では、ＵＥは、少なくとも決定されたセル１のカバレッジレベルに基づいて、セル１に関する測定結果をネットワークノードに報告するための少なくとも２つの可能な設定から１つの報告設定を決定し得る。
【０２１２】
いくつかの実施形態では、測定結果をネットワークノードに報告するためにＵＥによって使用されるべき報告設定を決定するステップは、以下のうちの１つ以上を含み得る。
・事前定義された規則に基づいて報告設定を決定すること。
・事前定義された時間期間のセットから選択すること。
・条件に基づいて選択すること。
・利用可能なリソースに基づいて報告設定を計算すること。
・別のノード（例えばネットワークノード）からメッセージまたはインジケータを受信すること。
・別のノード（例えばネットワークノード）から受信された値に基づいて、または当該値を用いて決定すること。および、
・履歴または格納された情報に基づいて決定すること。
【０２１３】
事前定義された規則に基づいて報告設定を決定するステップは、２つの可能なＣＥレベルを含み得る。ＵＥは、セル１に関するＵＥカバレッジレベルがＣＥ１である場合には第１の報告設定を使用し、セル１に関するＵＥカバレッジレベルがＣＥ２である場合には第２の報告設定を使用することを決定し得る。例えば、ＣＥ１とＣＥ２はそれぞれＣＥモードＡとＣＥモードＢであり得る。事前定義された時間期間のセットから選択するステップは、セル１において実行される測定の時間測定期間を有する各期間を含み得る。例えば、ＵＥは、期間が閾値を下回る場合には第１の報告設定を使用し、そうでない場合には第２の報告設定を使用することを決定してもよい。
【０２１４】
条件に基づいて報告設定を選択するステップは、以下の条件のうちの１つまたは複数を含むことができる。
・セル１の信号品質が閾値（Ｇ）以上である場合。
・セル１の信号品質が閾値（Ｇ）を下回る場合。
・セル１の信号品質が時間期間Ｔｙよりも長い期間にわたって閾値（Ｇ）以上である場合（例えば、Ｔｙ＞Ｔｘ）。
・セル１の信号品質が時間期間Ｔｙよりも長い期間にわたって閾値（Ｇ）を下回る場合（例えば、Ｔｙ＞Ｔｘ）。
【０２１５】
いくつかの実施形態では、ＵＥは、特定のモード（例えば、カバレッジ拡張モード）で動作しているときに報告するために特定の数より多くのビットを使用してはならない。
【０２１６】
いくつかの実施形態では、測定の結果をネットワークノードに報告するためにＵＥによって使用される１つのタイプの設定報告は、電力ヘッドルーム報告マッピングである。電力ヘッドルーム報告は、電力使用量（例えば、ＵＥにおいて利用可能な送信電力の量）についてサービングネットワークノードに通知するためにＵＥによって使用される。この情報は、送信パラメータ（例えば、変調方式、符号化率、リソースなど）を適応させるためにアップリンクスケジューラによって後で使用される。電力ヘッドルームは、公称最大出力電力と推定出力電力との間の差として定義される。通常は対数スケールで表される。それはまた、ＵＥがマルチキャリア動作（例えば、キャリアアグリゲーション（ＣＡ）、デュアルキャリア（ＤＣ）など）で構成されている場合、コンポーネントキャリアごとに測定され報告される。ＮＢ−ＩＯＴ ＵＥは、低コストで複雑度の低いＵＥの一種である。このＵＥに対しては、電力ヘッドルームは次のように定義される。
2019522928.tif 000006
ＰＨ（ｉ）の値は、負か正のいずれかである。負の値は、サービングネットワークノードが、ＵＥが処理し得るものよりも高いデータレートでこのＵＥをスケジュールしたことを意味する（例えば、ＵＥはＰＣＭＡＸ，ｃ（ｉ）によって制限される）。一方、正の値は、ＵＥに電力が残っていることを意味する（例えば、ＵＥは最大電力を使用していないか、または現在スケジュールされているよりも高いデータレートを処理し得る）。
【０２１７】
ＮＢ−ＩＯＴ ＵＥは、最低に設定されたＮＢ−ＰＲＡＣＨ繰り返しレベルに対して２ビットを使用するランダムアクセス手順においてメッセージ３（Ｍｓｇ３）を使用して電力ヘッドルーム情報を報告する。これは、レガシーＬＴＥを用いた６４の値と比較して、４つの異なる値が報告され得ることを意味する（以下の表２を参照）。ＮＢ−ＩＯＴ ＵＥによって４つの値のみが報告され得るので、既存の分解能を維持することができないことは明らかである。 
【表２】
2019522928.tif 000007
【０２１８】
従来のＬＴＥと比較して、バイナリ位相シフトキーイング（ＢＰＳＫ）や直交位相シフトキーイング（ＱＰＳＫ）など、低次変調方式のみがＮＢ−ＩＯＴでサポートされる。ＬＴＥでは、ＱＰＳＫ、１６直交振幅変調（ＱＡＭ）、６４ＱＡＭ等の高次変調方式がサポートされている。
【０２１９】
通常のカバレッジ内のＵＥは、レガシーＬＴＥと同様に良好なチャネル品質を経験する可能性があり、一方、拡張カバレッジ内のＵＥは、はるかに低いチャネル品質を有する可能性がある。電力ヘッドルーム報告の観点から、ＵＥは、通常のカバレッジと比較して拡張カバレッジにおいて最大電力を使用して動作し得る。したがって、より低い報告範囲（負の値）においてより高い報告分解能を有すること、すなわちこのＵＥが電力制限されている可能性が非常に高い。ＵＥが電力制限されているとき、ＰＨ（ｉ）は負になり、したがって、より正確な値がネットワークノードに報告され得るように、負の値に対してより高い分解能を有することは妥当かつ重要である。これにより、実際のカバレッジ条件に一致するより適切なスケジューリングリソースがネットワークノードによって選択されることになる。  これにより、ネットワークノードにおけるアップリンク受信性能が向上する。負の値においてより高い粒度を有する拡張カバレッジにおいて使用され得るそのような報告設定の一例が表３に与えられる。この例では、ＵＥは限られた数（例えば４）の値を報告することができないと仮定される。
【０２２０】
一方、通常のカバレッジでは、ＵＥは良好なカバレッジにいて、常に最大電力または最も高い繰り返しを使用する必要がない場合があるため、より高い報告分解能／粒度をより高い報告範囲（正の値）に含めることがより適切である。したがって、ＰＨ（ｉ）はしばしば正である可能性が非常に高いので、正の値に対するより良い分解能が望まれる正の値についてのより良い解決策を伴うそのような報告設定の一例を表３に示す。
【表３】
2019522928.tif 000008
【表４】
2019522928.tif 000009
【０２２１】
常に使用される固定の報告設定を有する代わりに、ＵＥが動作している実際のカバレッジレベルに依存する測定結果の報告設定を有することには明らかな利点がある。これは、サービングネットワークノードに、ＵＥにおける実際の電力使用量に関するより正確な情報を提供し、次いでネットワークノードはそれに応じてそのスケジューリングリソースを適応させることができる。
【０２２２】
正確な報告設定を決定するために異なるアルゴリズムが使用されてもよい。例えば、ＵＥが通常の通信可能範囲内にあるとき、単純なアルゴリズムを使用することができる（例えば、１による乗算）。一方、ＵＥが異なるカバレッジレベルにあるとき、同様のアルゴリズムが使用されてもよい（例えば、２による乗算、これも解像度を低下させるであろう）。他のアルゴリズムの例は、減算、加算、異なるファクタによる除算であり、それらはすべて実際のカバレッジモードに依存し得る。場合によっては、これらのアルゴリズムの組み合わせを使用することができる（例えば、より低い範囲では係数１による乗算、より高い範囲では係数４による乗算）。別の例では、乗算がより低い範囲で使用され得る一方、加算はより高い範囲で使用され得る。
【０２２３】
一例では、ＵＥは４つの異なる値を報告することしかできないと仮定される。この場合、ＵＥは、図１１に示されるように、実際のカバレッジモードの関数としてその報告範囲および報告分解能を適合化することができる。
【０２２４】
表３と表４の報告設定は、パワーヘッドルームレポートのためだけに例示されている。しかしながら、動作カバレッジモードに応じて報告範囲と報告分解能を適合化するという同じ原則が、すべてのタイプの報告に適用され得る。他のタイプの報告の例は、ＲＲＭ測定報告、信号品質報告、信号強度報告、測位測定報告、タイミング情報報告等である。
【０２２５】
いくつかの実施形態では、ＵＥは、ＵＥによってセル１に送信されたアップリンク信号、またはセル１からＵＥで受信されたＤＬ信号に対して少なくとも１つの測定を実行し得る。ＵＥは、ノードから（例えば、ネットワークノードまたは別のＵＥから）受信した測定設定に基づいて測定を実行し得る。本明細書におけるセル１は、サービングセルまたは隣接セルであり得る。ＵＥはまた、複数のセルに対して測定を実行し得る。別の例では、ＵＥはまた、ＵＥによって別のＵＥ（例えば、ＵＥ２）に送信された信号、または別のＵＥ（例えば、ＵＥ２）からＵＥで受信された信号について測定を実行し得る。
【０２２６】
いくつかの実施形態では、ＵＥは、決定されたまたは選択された報告設定（例えば、決定された測定報告マッピング）を使用して、セル１で実行された測定の結果をノード（例えばネットワークノードまたは別のＵＥ）に報告する。
【０２２７】
いくつかの実施形態では、ＵＥは、決定されたまたは選択された報告設定（例えば、決定された測定報告マッピング）を使用して、ＵＥ２に対して実行された測定の結果をノード（例えばネットワークノードまたは別のＵＥ）に報告する。
【０２２８】
測定結果の例には、実行された測定の値、測定結果の所定の値の識別子、結果の絶対値等が含まれる。測定結果を報告するための報告設定の例は、電力ヘッドルーム報告、ＲＲＭ測定（例えば、ＲＳＲＰ、ＲＳＲＱ、ＮＲＳＲＰ、ＮＲＳＲＱ）報告、信号強度報告、信号品質報告、負荷分散情報報告などを含む。
【０２２９】
測定結果の報告を実行するステップは、以下の手順または運用上のタスクのうちの１つ以上を更に含み得る。
・サービングセル上でＲＲＭ測定を実行すること。
・隣接セル上でＲＲＭ測定を実行すること。
・隣接ノードへの同期を実行すること。
・隣接セルのシステム情報を読み取る（例えば、ＭＩＢまたは１つ以上のＳＩＢを読み取る）こと。
・サービングネットワークノードからスケジューリング情報を受信すること。
・電力使用量を推定すること。
・セル１に制御チャネル（例えば、ＰＵＣＣＨまたはＭＰＵＣＣＨ）を送信すること。および、
・制御チャネルをセル１に送信すること（例えば、ＰＵＳＣＨ）。
【０２３０】
一実施形態では、方法は、第２のノード上で少なくとも１つの測定を実行し、結果を第１のノードに報告するＵＥをサービスまたは管理する第１のノード内で実行され得る。ノードは、ネットワークノードまたは別のＵＥであり得る。この場合のＵＥは、少なくとも２つのカバレッジレベルの下で動作することが可能である。第１のノードにより実行される方法は、第２のノード（例えば第１のセル（セル１）または別のＵＥ、ＵＥ２）に関してＵＥのＣＥレベルについての情報を取得することを含む。更に、方法は、第２のノード（例えば、セル１またはＵＥ２）に関してＵＥのＣＥレベルについて取得された情報に基づいて、第２のノードで実行された測定結果を第１のノードに送信するためにＵＥにより使用される報告設定を決定することを含む。
【０２３１】
別の実施形態では、方法は、１つ以上のカバレッジレベルのサポートに関連するＵＥ能力を受信することを含み得る。
【０２３２】
別の実施形態では、方法は、決定された報告設定をＵＥに送信することを含み得る。
【０２３３】
別の実施形態では、方法は、測定の結果を示す、決定された受信された報告情報に基づいて、スケジューリングを適合化することを含み得る。
【０２３４】
別の実施形態では、第１のノード（ノード１）と第２のノード（ノード２）は、異なり得る（例えば、ＵＥは隣接セルで測定を行い、サービングセルに結果を報告する）。
【０２３５】
別の実施形態では、第１のノード（ノード１）と第２のノード（ノード２）は、同じであり得る（例えば、ＵＥはサービングセルで測定を行い、同じサービングセルに結果を報告する）。
【０２３６】
別の実施形態では、第１のノードは、１つ以上のカバレッジレベルに対するサポートに関して、ＵＥの能力についての情報を取得し得る。能力情報は、ＵＥによってサービングノードにシグナリングされる。報告設定を決定するステップは、このＵＥ能力情報に基づき得る。例えば、ＵＥは、異なるカバレッジレベルの下で動作することができてもできなくてもよい。第１のノードは、ＵＥから、またはそのような情報を含む別のネットワークノードから、複数のカバレッジレベルについてのＵＥ能力情報を取得し得る。
【０２３７】
別の実施形態では、報告設定を決定するステップは、無線ノードについて説明したものと同様であり得る。
【０２３８】
別の実施形態では、報告設定を決定するステップは無線ノードについて説明したものと同様であり得るが、少なくとも第２のノード（例えば、セル１またはＵＥ２）のカバレッジレベルに基づいてもよい。
【０２３９】
別の実施形態では、第１のノードは、決定した報告設定に関する情報を、他のネットワークノードに送信またはシグナリングし得る。他のノードの例は、隣接ネットワークノード、コアネットワークノード、ポジショニングノード、あらゆるタイプの中継ノード、ＵＥ、Ｄ２Ｄ  ＵＥ、ＭＴＣ  ＵＥ、または自己組織化ネットワーク（ＳＯＮ）ノードといった専用サービスに使用される任意の他のノードを含む。情報報告設定は、他のＵＥ、または複数のカバレッジレベルの下で動作するように構成されたノード、または複数のカバレッジレベルの下で動作しているＵＥをサービスまたは管理しているノードによってシグナリングされる。決定された情報を他のノードと共有することには大きな利点がある。第１の利点は、この情報がその隣接ネットワークノード内のＵＥに適用可能であり得、そしてその場合、それらをそれら自身のユーザにシグナリングすることによって直接再使用され得ることである。このようにして、報告は大規模に改善される。第２の利点は、時々非常に複雑であり得る報告設定の決定が一箇所で一度だけ行われ、次いでネットワーク内の他のノードにシグナリングされ得ることである。このようにして、ネットワークノードにおける処理を減らすことができる。報告設定に関連する情報のシグナリングは、周期的、イベントトリガー（起動）、またはイベントトリガーの周期的ベースで行われてもよい。イベントトリガーとは、報告が実行されたとき、または設定やカバレッジレベルが変更されたときに通知されることを意味する。
【０２４０】
別の実施形態では、第１のノードは、動作タスクのために決定された報告設定を使用して実行された測定結果を示す、受信した報告情報を使用し得る。動作タスクの例は、スケジューリング、移動性、ポジショニング（測位）等を含む。例えば、受信した電力ヘッドルーム情報が、許可されたリソースを使用して送信後に電力が残っていることを示す場合、ノードは以前に使用されたものと比較してさらに高次の変調方式を選択し得る。このようにして、送信リソースは、リソースの効率的な使用、ひいてはより速い送信をもたらすことになるＵＥにおける実際の電力使用に従って適合化される。第２の例では、使用される報告設定は実際のカバレッジレベルに基づいているので、受信された報告情報は実際のチャネル測定結果をよりよく反映し得る。これにより、この測定（値）を使用する他のすべての動作手順（例えば、ハンドオーバ、モビリティ、セル変更、隣接セル測定など）が改善される。
【０２４１】
一実施形態では、少なくとも２つのカバレッジレベルで動作することができるＵＥによって実行される方法は、第２のノード（例えば、第１のセル（セル１）または別のＵＥ）に関するＵＥのＣＥレベルに関する情報を取得することを含む。更に、方法は、セル１のＣＥレベルに関する取得された情報に基づいて報告設定を決定することを含む。また、方法は、ノード（例えば、セル１または別のＵＥ、ＵＥ２）から受信された、またはノードに送信された信号に対して少なくとも１つの測定を実行することを含む。更に、方法は、決定された／選択された報告設定を用いて、実行された測定の結果をノード（例えば、ネットワークノードまたは別のＵＥ）に報告または送信することを含む。
【０２４２】
別の実施形態では、方法は、取得されたカバレッジレベルを別のノード（多恵えばネットワークノード）に示す（知らせる）ことを含み得る。
【０２４３】
別の実施形態では、方法は、取得した情報、少なくともその一部を格納することを含み得る。
【０２４４】
別の実施形態では、方法は、取得した情報に基づいて、既知のまたは取得した報告設定のうちの１つを選択することを含み得る。
【０２４５】
一実施形態では、少なくとも２つのカバレッジレベルで動作することができるＵＥによって実行される方法は、第２のノード（例えば、第１のセル（セル１）または別のＵＥ、ＵＥ２）に関するＵＥのＣＥレベルに関する情報を取得することを含む。更に、方法は、第２のノード（例えば、セル１またはＵＥ２）に関してＵＥのＣＥレベルについて取得された情報に基づいて、第２のノードで実行された測定結果を第１のノードに送信するためにＵＥにより使用される報告設定を決定することを含む。
【０２４６】
別の実施形態では、方法は、１つ以上のカバレッジレベルのサポートに関連するＵＥ能力を受信することを含み得る。
【０２４７】
別の実施形態では、方法は、決定された報告設定をＵＥに送信することを含み得る。
【０２４８】
別の実施形態では、方法は、測定の結果を示す、決定された受信された報告情報に基づいて、スケジューリングを適合化することを含み得る。
【０２４９】
別の実施形態では、第１のノード（ノード１）と第２のノード（ノード２）は、異なるノードであり得る（例えば、ＵＥは隣接セルで測定を行い、サービングセルに結果を報告する）。
【０２５０】
別の実施形態では、第１のノード（ノード１）と第２のノード（ノード２）は、同じノードであり得る（例えば、ＵＥはサービングセルで測定を行い、同じサービングセルに結果を報告する）。
【０２５１】
３ＧＰＰ  ＲＡＮ１は、ＮＢ−ＩＯＴのための電力ヘッドルームについて議論している。 ３ＧＰＰ ＲＡＮ２は、利用可能なビットの３ＧＰＰ ＲＡＮ２確認を条件として、最低設定のＮＢ−ＰＲＡＣＨ繰り返しレベルに対して２ビットを使用するランダムアクセス手順のＭｓｇ３を有する狭帯域電力ヘッダルーム（ＮＢ−ＰＨＲ）報告の送信をサポートすることを推奨する。更に、ＤＣＩを利用する動的指標（表示）はサポートされず、Ｍｓｇ３サイズは同じままであり得る。３ＧＰＰ ＲＡＮ１はまた、電力ヘッドルーム報告のために２ビットを使用することに同意した。ＮＢ−ＰＨＲは、電力ヘッドルーム（ＰＨ（ｉ））が上記の式１によって定義される実際のサブキャリア間隔にかかわらず、ＮＢ−ＰＵＳＣＨデータ送信のための１５ｋＨｚのシングルトーン送信電力に基づいて計算される。更に、ＮＢ−ＰＨＲの４つの報告可能な値があり得る。
【０２５２】
電力ヘッドルーム報告は、電力使用量、すなわちＵＥにおいて利用可能な送信電力の量についてサービングｅＮＢに通知するためにＵＥによって使用される。この情報は、送信パラメータ（例えば、変調方式、符号化率、リソースなど）を適合化するためにアップリンクスケジューラによって後で使用される。電力ヘッドルームは、公称最大出力電力と推定出力電力の差として定義される。それは、通常は対数スケールで表される。それはまた、ＵＥがマルチキャリア動作で構成されている場合、コンポーネントキャリアごとに測定され報告される。ＮＢ−ＩＯＴについては、電力ヘッドルーム（ＰＨ（ｉ））は上記の式１により定義される。
【０２５３】
ＰＨ（ｉ）の値は、負か正のいずれかである。負の値は、サービングｅＮＢが、ＵＥが処理し得るものよりも高いデータレートでこのＵＥをスケジュールしたことを意味する（例えば、ＵＥはＰＣＭＡＸ，ｃ（ｉ）によって制限される）。一方、正の値は、ＵＥに電力が残っていることを意味する（例えば、ＵＥは最大電力を使用していないか、またはより高いデータレートを処理し得る）。
【０２５４】
ＮＢ−ＰＨＲは、最も低い設定されたＮＢ−ＰＲＡＣＨ繰り返しレベルに対して２ビットを使用するランダムアクセス手順のＭｓｇ３において報告されてもよい。これは、レガシーＬＴＥを用いた６４の値と比較して、４つの異なる値が報告され得ることを意味する（表２を参照）。従来のＬＴＥと比較して、ＮＢ−ＩＯＴでは低次変調方式のみがサポートされている。ＱＰＳＫ、１６ＱＡＭ、６４ＱＡＭ等のＬＴＥ高次変調方式では、ＮＢ−ＩＯＴではＱＰＡＫ／ＢＰＳＫのみが使用される。
【０２５５】
４つの値のみが報告され得るので、既存の分解能を維持することができないことは明らかである。問題はそれからＮＢ−ＩＯＴのためにどの分解能を使うべきかということである。私たちの見解では、カバレッジエリアはここで重要な役割を果たしている。通常のカバレッジにおけるＵＥは、レガシーＬＴＥと同様に良好なチャネル品質を経験する可能性があり、一方、拡張カバレッジにおけるＵＥは、はるかに低いチャネル品質を有する可能性がある。電力ヘッドルーム報告の観点から、ＵＥは、通常のカバレッジと比較して拡張カバレッジにおいて最大電力を使用して動作し得る。したがって、より低い報告範囲（例えば、負の値）でより精細な報告分解能を有することは重要である。一方、通常のカバレッジでは、ＵＥは良好なカバレッジにいて、常に最大電力または最も高い繰り返しを使用する必要がない場合があるため、より高い報告分解能をより高い報告範囲（例えば正の値）に含めることがより適切である。したがって、通常のカバレッジ運用に対する１セットの報告分解能と拡張カバレッジに対するもう１セットの報告範囲が指定されている。
【０２５６】
更に、通常のカバレッジと拡張カバレッジで電力ヘッドルーム報告を区別することも重要である。通常のカバレッジでは、ＵＥは非常に良好なチャネル条件下で動作する可能性がある。つまり、ＵＥは常に最大リソースを使用するとは限らない。したがって、より高い範囲のＮＢ−ＰＨＲでより細かいレポート粒度を持つことが重要である。一方、拡張カバレッジにおけるＵＥは、−１５ｄＢのＳＮＲまでの動作をサポートする必要がある。これには、より高い繰り返し数とより多くのリソースを使用した動作が必要である。そのようなＵＥは、最大電力を使用して動作する可能性が高い。したがって、ＮＢ−ＰＨＲの低い範囲で高い粒度を持つことがより適切である。
【０２５７】
一実施形態では、通常のカバレッジにおけるＮＢ−ＩＯＴ ＵＥの電力ヘッドルーム報告は、正の範囲でより高い分解能で上記の表３のように指定される。
【０２５８】
別の実施形態では、拡張カバレッジにおけるＮＢ−ＩＯＴ ＵＥの電力ヘッドルーム報告は、正の範囲でより高い分解能で上記の表４のように指定される。
【０２５９】
別の実施形態では、電力ヘッドルームは、サービングｅＮＢに、ＵＥ設定最大出力電力（ＰＣＭＡＸ）とサービングセルのＵＬ−ＮＳＣＨ送信に対する推定電力との間の差についての情報を提供する。更に、報告された電力ヘッドルームは、１サブフレームにわたって推定され得る。また、電力ヘッドルーム報告の遅延は、電力ヘッドルーム基準期間の始まりと、ＵＥが無線インタフェースを介して電力ヘッドルームの送信を開始する時間との間の時間として定義される。電力ヘッドルーム報告の遅延はゼロミリ秒（０ミリ秒）であり得、これは電力ヘッドルーム報告のために構成されたすべてのトリガ機構に適用可能である。  通常のカバレッジにおけるＵＥカテゴリＮＢ１の報告マッピングは、−２３ｄＢ…＋２８ｄＢの範囲の電力ヘッドルームレポート範囲を有する。更に、以下の表５は報告マッピングを定義する。
【表５】
2019522928.tif 000010
【０２６０】
別の実施形態では、拡張カバレッジにおけるＵＥカテゴリＮＢ１の報告マッピングは、−２３ｄＢ…＋１３ｄＢの範囲の電力ヘッドルームレポート範囲を有する。更に、以下の表６は報告マッピングを定義する。
【表６】
2019522928.tif 000011
【０２６１】
略語と略語の説明
３ＧＰＰ  第３世代パートナーシッププロジェクト
ＡＣＫ  確認応答
ＡＤＣ  アナログ／デジタル変換
ＡＧＣ  自動利得制御
ＡＮＲ  自動隣接関係
ＡＰ  アクセスポイント
ＢＣＨ  ブロードキャストチャネル
ＢＬＥＲ  ブロック誤り率
ＢＳ  基地局
ＢＳＣ  基地局制御装置
ＢＳ  基地送受信局
ＣＡ  キャリアアグリゲーション
ＣＣ  コンポーネントキャリア
ＣＧ  セルグループ
ＣＧＩ  セルグローバル識別子
ＣＰ  サイクリックプリフィックス
ＣＰＩＣＨ  共通パイロットチャネル
ＣＲＣ  巡回冗長検査
ＣＲＳ  セル固有参照信号
ＣＳＧ  クローズドサブスクライバグループ
ＣＳＩ  チャネル状態情報
ＣＳＳ  共通サーチスペース
ＤＡＳ  分散アンテナシステム
ＤＣ  デュアルコネクティビティ
ＤＦＴ  離散フーリエ変換
ＤＬ  ダウンリンク
ＤＬ−ＳＣＨ  ダウンリンク共有チャネル
ＤＲＸ  不連続受信
ｅＮＢ  進化型ノードＢ（すなわち基地局）
Ｅ−ＵＴＲＡ  進化型ユニバーサル地上無線アクセス
Ｅ−ＵＴＲＡＮ  進化型ユニバーサル地上無線アクセスネットワーク
ＤＦＴ  離散フーリエ変換
ＦＤＤ  周波数分割複信
ＦＦＴ  高速フーリエ変換
ＨＤ−ＦＤＤ  ハーフデュプレックス（半二重）−周波数分割複信
ＨＯ  ハンドオーバ
ＩＦＦＴ  逆高速フーリエ変換
ＩｏＩ  インターネットオブシングス
ＬＴＥ  ロングタームエヴォリューション
Ｍ２Ｍ  マシン・ツー・マシン
ＭＡＣ  媒体アクセス制御
ＭＣＧ  マスターセルグループ
ＭＤＴ  運転試験最小化
ＭｅＮＢ  マスターｅノードＢ
ＭＩＢ  マスター情報ブロック
ＭＩＭＯ  多入力多出力
ＭＭＥ  モビリティ管理エンティティ
ＭＲＴＤ  最大受信タイミング差
ＭＳＲ  マルチスタンダード無線
ＭＴＣ  マシンタイプ通信
ＮＡＣＫ  否定応答
ＮＢ  狭帯域（ナローバンド）
ＮＢ−ＩｏＴ  狭帯域インターネットオブシングス
ＮＢ−ＬＴＥ  狭帯域ＬＴＥ（例えば１８０ｋＨｚ帯域幅）
ＮＢ−ＰＢＣＨ  ＮＢ−ＩｏＴ物理ブロードキャストチャネル
ＮＢ−ＰＳＳ  ＮＢ−ＩｏＴプライマリ同期シーケンス
ＮＢ−ＳＳＳ  ＮＢ−ＩｏＴセカンダリ同期シーケンス
ＯＦＤＭ  直交周波数分割変調
ＯＦＤＭＡ  直交周波数分割変調アクセス
ＰＡ  パワーアンプ（電力増幅器）
ＰＡＰＲ  ピーク対平均電力比
ＰＢＣＨ  物理ブロードキャストチャネル
ＰＣＩ  物理セル識別子
ＰＣＣ  プライマリコンポーネントキャリア
ＰＣＩ  物理セル識別情報
ＰＣｅｌｌ  プライマリセル
ＰＣＧ  プライマリセルグループ
ＰＣＨ  ページングチャネル
ＰＤＣＣＨ  物理データ制御チャネル
ＰＤＵ  プロトコルデータユニット
ＰＧＷ  パケットゲートウェイ
ＰＨＩＣＨ  物理ＨＡＲＱインジケーションチャネル
ＰＬＭＮ  公衆陸上モバイルネットワーク
ＰＲＡＣＨ  物理ランダムアクセスチャネル
ＰＲＢ  物理リソースブロック
ＰＳＣｅｌｌ  プライマリＳＣｅｌｌ
ＰＳＣ  プライマリサービングセル
ＰＳＤ  パワースペクトル密度
ＰＳＳ  プライマリ同期シーケンス
ＰＵＳＣＨ  物理アップリンク共有チャネル
ＲＡＣＨ  ランダムアクセスチャネル
ＲＡＴ  無線アクセス技術
ＲＦ  無線周波数
ＲＬＭ  無線リンク監視
ＲＲＣ  無線リソース制御
ＲＲＨ  遠隔無線ヘッド
ＲＲＵ  遠隔無線ユニット
ＲＳＣＰ  受信信号コード電力
ＲＳＲＰ  受信信号受信電力
ＲＳＲＱ  受信信号受信品質
ＲＳＳＩ  受信信号強度インジケーション
ＲＳＴＤ  参照信号時間差
ＲＶ  冗長バージョン
Ｒｘ  受信器
ＳＣＣ  セカンダリコンポーネントキャリア
ＳＣｅｌｌ  セカンダリセル
ＳＣＧ  セカンダリセルグループ
ＳＣ−ＦＤＭＡ  シングルキャリア−周波数分割多重アクセス
ＳｅＮＢ  セカンダリｅノードＢ
ＳＦＢＣ  空間周波数ブロック符号化
ＳＦＮ  システムフレーム番号
ＳＧＷ  シグナリングゲートウェイ
ＳＩ  システム情報
ＳＩＢ  システム情報ブロック
ＳＩＢ１  システム情報ブロックタイプ１
ＳＩＭ  加入者識別モジュールまたは加入者識別モジュール
ＳＩＮＲ  信号対干渉雑音比
ＳＮＲ  信号対雑音比
ＳＯＮ  自己組織化ネットワーク
ＳＲＳ  サウンディング参照信号
ＳＳＣ  セカンダリサービングセル
ＳＳＳ  セカンダリ同期シーケンス
ＴＡ  タイミングアドバンス
ＴＡＧ  タイミングアドバンスグループ
ＴＤＤ  時間分割複信
Ｔｘ  送信器
ＵＡＲＦＣＮ  ＵＭＴＳ絶対無線周波数チャネル番号
ＵＥ  ユーザ装置
ＵＬ  アップリンク
ＵＳＳ  ＵＥ固有サーチスペース
ＷＢ−ＬＴＥ  広帯域ＬＴＥ（すなわちレガシーＬＴＥに対応）
ＺＣ  Zadoff-Chuアルゴリズム
【０２６２】
前述の詳細な説明は、本質的に例示にすぎず、本開示、または本開示の用途および使用を限定することを意図していない。さらに、前述の使用分野、背景、要約、または詳細な説明に提示されている明示または暗示の理論に束縛されるものではない。本開示は、機能的または論理的ブロック要素に関して本明細書で説明され得る様々な例、実施形態などを提供する。本明細書に記載の様々な態様は、いくつかの構成要素、要素、部材、モジュール、ノード、周辺機器などを含むことができる方法、デバイス（または装置）、システム、または製品として提示される。更に、これらの方法、装置、システム、または製造品は、追加の構成要素、要素、部材、モジュール、ノード、周辺機器などを含んでも含まなくてもよい。
【０２６３】
更に、さらに、本明細書で説明される様々な態様は、開示された主題を実施するためにコンピューティングデバイスを制御するためにソフトウェア、ファームウェア、ハードウェア（例えば回路）、またはそれらの任意の組み合わせを生成するための標準プログラミングまたはエンジニアリング技法を使用して実施され得る。いくつかの実施形態は、マイクロプロセッサ、デジタル信号プロセッサ、カスタマイズされたプロセッサ、およびフィールドプログラマブルゲートアレイ（ＦＰＧＡ）といった１つ以上の汎用または専用プロセッサ、および、特定の非プロセッサ回路と共に、本明細書に記載の方法、装置およびシステムの機能のいくつか、ほとんど、またはすべてを実施するように１つ以上の複数のプロセッサを制御する一意の格納プログラム命令（ソフトウェアおよびファームウェアの両方を含む）から構成され得ることが理解されるだろう。あるいは、いくつかまたはすべての機能は、記憶されたプログラム命令を持たないステートマシンによって、または、各機能または特定の機能のいくつかの組み合わせがカスタム論理回路として実装されている、１つ以上のの特定用途向け集積回路（ＡＳＩＣ）により実装され得る。もちろん、２つのアプローチの組み合わせが使用されてもよい。更に、本明細書に開示されている概念および原理によって導かれる場合、当業者は、例えば利用可能時間、現在の技術、および経済的考察によって動機付けられる、おそらく相当な努力および多くの設計選択にもかかわらず、最小限の実験でそのようなソフトウェア命令とプログラムとＩＣを当業者は容易に生み出すことができるであろう。
【０２６４】
本明細書で使用される「製品」という用語は、任意のコンピューティングデバイス、キャリア、または媒体からアクセス可能なコンピュータプログラムを包含することを意図している。例えば、コンピュータ可読媒体は以下を含み得る。ハードディスク、フロッピー（登録商標）ディスク、磁気ストリップなどの磁気記憶装置。コンパクトディスク（ＣＤ）またはデジタル多用途ディスク（ＤＶＤ）のような光ディスク。スマートカード。カード、スティック、キードライブなどのフラッシュメモリデバイス。更に、搬送波を使用して、電子メール（ｅメール）などの電子データの送信および受信、またはインターネットやインターネットなどのコンピュータネットワークへのアクセスに使用されるものを含むコンピュータ可読電子データを搬送することができる。ローカルエリアネットワーク（ＬＡＮ）。もちろん、当業者であれば、本開示の主題の範囲または精神から逸脱することなく、この構成に対して多くの修正を加えることができることを理解するであろう。
【０２６５】
明細書および実施形態を通して、以下の用語は、文脈が明らかにそうでないことを指示しない限り、少なくとも本明細書に明示的に関連した意味をとる。「第１」および「第２」などの関係用語は、必ずしもそのような実体または動作間の実際のそのような関係または順序を要求または暗示することなく、ある実体または動作を別の実体または動作から区別するためにのみ使用され得る。「または」という用語は、別段の指定がない限り、または排他的な形式を対象とするという文脈から明らかでない限り、包括的な「または」を意味することを意図している。更に、用語「ａ」、「ａｎ」、および「ｔｈｅ」は、他に特定されない限り、または文脈から単数形を対象とすることが明らかでない限り、１つまたは複数を意味することを意図している。用語「含む」およびその様々な形態は、含むがそれに限定されないことを意味することを意図している。「一実施形態」、「実施形態」、「例示的実施形態」、「様々な実施形態」、および他の同様の用語への言及は、そのように説明された開示技術の実施形態が特定の機能、特徴、構造、または特性を含み得ることを示す。すべての実施形態が必ずしも特定の機能、特徴、構造、または特性を含むわけではない。更に、「一実施形態では」という句の繰り返しの使用は、同じ実施形態を必ずしも指すとは限らない。用語「実質的に」、「本質的に」、「およそ」、「約」、またはその任意の他のバージョンは、当業者によって理解されるものに近いと定義され、１つの非限定的な実施形態では、その用語は１０％以内であると定義され、別の実施形態では５％以内であると定義され、別の実施形態では１％以内であると定義され、別の実施形態では０．５％以内であると定義される。特定の方法で「構成」されているデバイスまたは構造は、少なくともそのように構成されているが、記載されていない方法で構成することもできる。
【図１】
2019522928.tif 000016
【図２】
2019522928.tif 000017
【図３】
2019522928.tif 000018
【図４】
2019522928.tif 000019
【図５】
2019522928.tif 000020
【図６】
2019522928.tif 000021
【図７】
2019522928.tif 000022
【図８】
2019522928.tif 000023
【図９】
2019522928.tif 000024
【図１０】
2019522928.tif 000025
【図１１】
2019522928.tif 000026
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
無線通信システム（１００）における無線デバイス（１０５，２００，３００，４００，１０００）により実行される方法であって、
前記無線デバイスのカバレッジレベル（１０３ａ〜１０３ｄ）を示す情報を取得すること（５０３）と、
前記無線デバイスの異なるカバレッジレベルにそれぞれ関連付けられた異なる複数の電力ヘッドルーム報告マッピング（１１５ａ〜１１５ｄ）の中から、前記取得された情報により示される前記カバレッジレベルに関連付けられた電力ヘッドルーム報告マッピングを決定すること（５０７）であって、前記複数の電力ヘッドルーム報告マッピング（１１５ａ〜１１５ｄ）はそれぞれ、報告された値から、無線デバイスの公称最大出力電力と推定出力電力との間の差として定義される電力ヘッドルームの測定値へのマッピングを定義し、かつ、報告分解能および／または電力ヘッドルーム情報の報告範囲に関して互いに異なる、ことと、
前記決定された電力ヘッドルーム報告マッピングを用いて前記電力ヘッドルーム情報を報告すること（５１１）を含む、方法。
【請求項２】
請求項１に記載の方法であって、前記報告することは、
前記決定された報告設定を用いて前記電力ヘッドルーム情報の指標を生成することと、
前記無線通信システムにおけるネットワークノード（１０１，６００，７００，８００）に、前記電力ヘッドルーム情報の前記指標を送信すること（５１１）を含む、方法。
【請求項３】
請求項１または２に記載の方法であって、更に、
前記無線通信システムにおけるネットワークノード（１０１，６００，７００，８００）に、前記無線デバイスの前記カバレッジレベルの指標を送信すること（５０５）を更に含む、方法。
【請求項４】
請求項１から３のいずれか１項に記載の方法であって、前記取得することは、
前記情報に基づいて前記無線デバイスの前記カバレッジレベルを決定することを含む、方法。
【請求項５】
請求項１から４のいずれか１項に記載の方法であって、更に、
前記無線通信システムにおけるネットワークノード（１０１，６００，７００，８００）から、前記無線デバイスの前記カバレッジレベルを示す前記情報を受信すること（５０１）を更に含む、方法。
【請求項６】
請求項１から５のいずれか１項に記載の方法であって、前記取得することは、
前記無線デバイスにより送信または受信された信号の測定を行うことを更に含み、前記情報は前記信号の測定値を含む、方法。
【請求項７】
請求項１から６のいずれか１項に記載の方法であって、前記取得することは、
前記無線デバイスのランダムアクセス設定に基づいて前記無線デバイスによるランダムアクセス送信に使用される反復回数を決定することを更に含み、前記情報は前記ランダムアクセス送信に使用される反復回数を含む、方法。
【請求項８】
請求項１から７のいずれか１項に記載の方法であって、前記報告設定を決定することは、
前記無線通信システムにおけるネットワークノード（１０１，６００，７００，８００）から、前記異なる複数の電力ヘッドルーム報告マッピングの指標を受信することを含む、方法。
【請求項９】
請求項１から８のいずれか１項に記載の方法であって、前記異なる複数の電力ヘッドルーム報告マッピングは、異なる報告範囲で前記電力ヘッドルーム情報を報告し、各範囲は異なる最小報告値および異なる最大報告値のうちの少なくとも１つを有する、方法。
【請求項１０】
請求項１から９のいずれか１項に記載の方法であって、前記情報は、前記無線デバイスにサービスを提供するネットワークノードが前記カバレッジレベルを用いているかまたはサポートしているという指標を含む、方法。
【請求項１１】
請求項１から１０のいずれか１項に記載の方法であって、前記情報は、前記無線デバイスにサービスを提供するネットワークノードが前記異なるカバレッジレベルをサポートしているという指標を含む、方法。
【請求項１２】
請求項１から１１のいずれか１項に記載の方法であって、前記情報は、前記無線デバイスにより送信または受信された信号の測定値を含む、方法。
【請求項１３】
請求項６または１２に記載の方法であって、前記信号の測定値は、前記無線デバイスにより送信または受信された信号のレベルまた品質の測定値を含む、方法。
【請求項１４】
請求項１から１３のいずれか１項に記載の方法であって、前記情報は、ランダムアクセス送信をネットワークノードへ実行する前記無線デバイスに関連付けられたランダムアクセス設定を含む、方法。
【請求項１５】
請求項１から１４のいずれか１項に記載の方法であって、前記情報は、前記異なるカバレッジレベルをサポートするための前記無線デバイスの能力を含む、方法。
【請求項１６】
請求項１から１５のいずれか１項に記載の方法であって、前記情報は、前記無線デバイスの前記異なるカバレッジレベルの指標を含む、方法。
【請求項１７】
請求項１から１６のいずれか１項に記載の方法であって、前記電力ヘッドルーム報告マッピングを決定することは、１つ以上の所定の規則に基づく、方法。
【請求項１８】
請求項１から１７のいずれか１項に記載の方法であって、前記電力ヘッドルーム報告マッピングを決定することは、ネットワークノードから前記無線デバイスにより受信された信号の測定値に関連付けられた所定の時間期間に基づく、方法。
【請求項１９】
請求項１から１８のいずれか１項に記載の方法であって、前記電力ヘッドルーム報告マッピングを決定することは、１つ以上の所定の条件に基づく、方法。
【請求項２０】
請求項１から１９のいずれか１項に記載の方法であって、前記電力ヘッドルーム報告マッピングを決定することは、無線デバイスによる使用に利用可能である異なる複数の電力ヘッドルーム報告マッピングに関連付けられた１つ以上のリソースに基づく、方法。
【請求項２１】
請求項１から２０のいずれか１項に記載の方法であって、前記電力ヘッドルーム報告マッピングを決定することは、前記電力ヘッドルーム報告マッピングを決定する際に前記無線デバイスを支援するためにネットワークノードによって提供されるデータに基づく、方法。
【請求項２２】
請求項１から２１のいずれか１項に記載の方法であって、前記異なるカバレッジレベルは、１つ以上の通常のカバレッジレベルと１つ以上の拡張カバレッジレベルを含む、方法。
【請求項２３】
請求項１から２２のいずれか１項に記載の方法であって、前記無線デバイスは、ロングタームエヴォリューション（ＬＴＥ）カテゴリナローバンド１（ＬＴＥ Ｃａｔ ＮＢ１）デバイスとして動作することができ、決定された電力ヘッドルーム報告マッピングは前記ＬＴＥ Ｃａｔ ＮＢ１デバイスに対する電力ヘッドルーム報告マッピングを含む、方法。
【請求項２４】
請求項２３に記載の方法であって、通常のカバレッジにおいて動作する前記ＬＴＥ  Ｃａｔ  ＮＢ１デバイスに対する前記電力ヘッドルーム報告マッピングは、以下のように定義される、方法。
2019522928.tif 000027
【請求項２５】
請求項２３または２４に記載の方法であって、拡張カバレッジにおいて動作する前記ＬＴＥ  Ｃａｔ  ＮＢ１デバイスに対する前記電力ヘッドルーム報告マッピングは、以下のように定義される、方法。
2019522928.tif 000028
【請求項２６】
無線通信システム（１００）における無線デバイス（１０５，２００，３００，４００，１０００）であって、前記無線デバイスは、
前記無線デバイスのカバレッジレベル（１０３ａ〜１０３ｄ）を示す情報を取得し、
前記無線デバイスの異なるカバレッジレベルそれぞれ関連付けられた異なる複数の電力ヘッドルーム報告マッピング（１１５ａ〜１１５ｄ）の中から、前記取得された情報により示される前記カバレッジレベルに関連付けられた電力ヘッドルーム報告マッピングを決定し、ここで、前記複数の電力ヘッドルーム報告マッピング（１１５ａ〜１１５ｄ）はそれぞれ、報告された値から、無線デバイスの公称最大出力電力と推定出力電力との間の差として定義される電力ヘッドルームの測定値へのマッピングを定義し、かつ、報告分解能および／または電力ヘッドルーム情報の報告範囲に関して互いに異なり、
前記決定された電力ヘッドルーム報告マッピングを用いて電力ヘッドルーム情報を報告するように構成される、無線デバイス。
【請求項２７】
請求項２６に記載の無線デバイスであって、更に請求項２から２５のいずれか１項に記載の前記方法を実行するように構成された無線デバイス。
【請求項２８】
無線通信システム（１００）におけるネットワークノード（１０１，６００，７００，８００）により実行される方法であって、
前記無線通信システムにおける無線デバイス（１０５，２００，３００，４００，１０００）のカバレッジレベル（１１３ａ〜１１３ｄ）を示す情報を取得すること（９０３）と、
前記無線デバイスの異なるカバレッジレベルそれぞれ関連付けられた異なる複数の電力ヘッドルーム報告マッピング（１１５ａ〜１１５ｄ）の中から、前記取得された情報により示される前記カバレッジレベルに関連付けられた電力ヘッドルーム報告マッピングを決定すること（９０５）を含み、前記複数の電力ヘッドルーム報告マッピング（１１５ａ〜１１５ｄ）はそれぞれ、報告された値から、無線デバイスの公称最大出力電力と推定出力電力との間の差として定義される電力ヘッドルームの測定値へのマッピングを定義し、かつ、報告分解能および／または電力ヘッドルーム情報の報告範囲に関して互いに異なる、方法。
【請求項２９】
請求項２８に記載の方法であって、更に、
前記無線デバイスに、前記決定された電力ヘッドルーム報告マッピングを送信すること（９０７）を含む、方法。
【請求項３０】
請求項２８または２９に記載の方法であって、更に、
前記無線デバイスから、前記決定された報告設定を用いて電力ヘッドルーム情報を受信すること（９０９）を含む、方法。
【請求項３１】
請求項２８から３０のいずれか１項に記載の方法であって、更に、
前記無線デバイスから、前記無線デバイスによりサポートされる１つ以上のカバレッジレベルの指標を受信することを含み、前記情報は前記無線デバイスによりサポートされる前記１つ以上のカバレッジレベルを含み、
前記取得することは、前記無線デバイスによりサポートされる前記１つ以上のカバレッジレベルから前記カバレッジレベルを決定することを含む、方法。
【請求項３２】
請求項２８から３１のいずれか１項に記載の方法であって、前記決定することは、前記無線デバイスにより報告される１つ以上の測定報告に基づく、方法。
【請求項３３】
請求項３２に記載の方法であって、前記１つ以上の測定報告は、前記無線デバイスにより送信または受信された信号の測定値に関連付けられる、方法。
【請求項３４】
請求項２８から３３のいずれか１項に記載の方法であって、前記異なる複数の電力ヘッドルーム報告マッピングは、異なる報告範囲で前記電力ヘッドルーム情報を報告し、各範囲は異なる最小報告値および異なる最大報告値のうちの少なくとも１つを有する、方法。
【請求項３５】
請求項２８から３４のいずれか１項に記載の方法であって、前記異なるカバレッジレベルは、１つ以上の通常のカバレッジレベルと１つ以上の拡張カバレッジレベルを含む、方法。
【請求項３６】
請求項２８から３５のいずれか１項に記載の方法であって、前記無線デバイスは、ロングタームエヴォリューション（ＬＴＥ）カテゴリナローバンド１（ＬＴＥ Ｃａｔ ＮＢ１）デバイスとして動作することができ、決定された電力ヘッドルーム報告マッピングは前記ＬＴＥ Ｃａｔ ＮＢ１デバイスに対する電力ヘッドルーム報告マッピングを含む、方法。
【請求項３７】
請求項３６に記載の方法であって、通常のカバレッジにおいて動作する前記ＬＴＥ  Ｃａｔ  ＮＢ１デバイスに対する前記電力ヘッドルーム報告マッピングは、以下のように定義される、方法。
2019522928.tif 000029
【請求項３８】
請求項３６または３７に記載の方法であって、拡張カバレッジにおいて動作する前記ＬＴＥ  Ｃａｔ  ＮＢ１デバイスに対する前記電力ヘッドルーム報告マッピングは、以下のように定義される、方法。
2019522928.tif 000030
【請求項３９】
請求項２８から３８のいずれか１項に記載の方法であって、更に、
前記電力ヘッドルーム情報に基づいて前記無線デバイスの１つ以上の動作パラメータを適合化すること（９１１）を含む、方法。
【請求項４０】
請求項３９に記載の方法であって、前記１つ以上の動作パラメータは、符号化率、変調方式、およびリソース割り当てのうちの少なくとも１つを含む、方法。
【請求項４１】
無線通信システムにおけるネットワークノードであって、前記ネットワークノードは、
前記無線通信システムにおける無線デバイスのカバレッジレベルを示す情報を取得し、
前記無線デバイスの異なるカバレッジレベルそれぞれ関連付けられた異なる複数の電力ヘッドルーム報告マッピングから、前記取得された情報により示される前記カバレッジレベルに関連付けられ電力ヘッドルーム報告マッピングを決定するように構成され、前記複数の電力ヘッドルーム報告マッピング（１１５ａ〜１１５ｄ）はそれぞれ、報告された値から、無線デバイスの公称最大出力電力と推定出力電力との間の差として定義される電力ヘッドルームの測定値へのマッピングを定義し、かつ、報告分解能および／または電力ヘッドルーム情報の報告範囲に関して互いに異なる、ネットワークノード。
【請求項４２】
請求項４１に記載のネットワークノードであって、更に請求項２８から４０のいずれか１項に記載の前記方法を実行するように構成されたネットワークノード。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
無線通信システム（１００）における無線デバイス（１０５，２００，３００，４００，１０００）により実行される方法であって、
前記無線デバイスのカバレッジレベル（１１３ａ〜１１３ｄ）を示す情報を取得すること（５０３）と、
前記無線デバイスの異なるカバレッジレベルにそれぞれ関連付けられた異なる複数の電力ヘッドルーム報告マッピング（１１５ａ〜１１５ｄ）の中から、前記取得された情報により示される前記カバレッジレベルに関連付けられた電力ヘッドルーム報告マッピングを決定すること（５０７）であって、前記複数の電力ヘッドルーム報告マッピング（１１５ａ〜１１５ｄ）はそれぞれ、報告された値から、無線デバイスの公称最大出力電力と推定出力電力との間の差として定義される電力ヘッドルームの測定値へのマッピングを定義し、かつ、報告分解能および／または電力ヘッドルーム情報の報告範囲に関して互いに異なる、ことと、
前記決定された電力ヘッドルーム報告マッピングを用いて前記電力ヘッドルーム情報を報告すること（５１１）を含む、方法。
【請求項２】
請求項１に記載の方法であって、前記報告することは、
前記決定された報告設定を用いて前記電力ヘッドルーム情報の指標を生成することと、
前記無線通信システムにおけるネットワークノード（１０１，６００，７００，８００）に、前記電力ヘッドルーム情報の前記指標を送信すること（５１１）を含む、方法。
【請求項３】
請求項１または２に記載の方法であって、更に、
前記無線通信システムにおけるネットワークノード（１０１，６００，７００，８００）に、前記無線デバイスの前記カバレッジレベルの指標を送信すること（５０５）を更に含む、方法。
【請求項４】
請求項１から３のいずれか１項に記載の方法であって、更に、
前記無線通信システムにおけるネットワークノード（１０１，６００，７００，８００）から、前記無線デバイスの前記カバレッジレベルを示す前記情報を受信すること（５０１）を更に含む、方法。
【請求項５】
請求項１から４のいずれか１項に記載の方法であって、前記取得することは、
前記情報に基づいて前記無線デバイスの前記カバレッジレベルを決定すること、および／または、
前記無線デバイスにより送信または受信された信号の測定を行うことであって、前記情報は前記信号の測定値を含むこと、および／または、
前記無線デバイスのランダムアクセス設定に基づいて前記無線デバイスによるランダムアクセス送信に使用される反復回数を決定することであって、前記情報は前記ランダムアクセス送信に使用される反復回数を含むこと、を含む、方法。
【請求項６】
請求項１から５のいずれか１項に記載の方法であって、前記報告設定を決定することは、
前記無線通信システムにおけるネットワークノード（１０１，６００，７００，８００）から、前記異なる複数の電力ヘッドルーム報告マッピングの指標を受信することを含む、方法。
【請求項７】
請求項１から６のいずれか１項に記載の方法であって、前記異なる複数の電力ヘッドルーム報告マッピングは、異なる報告範囲で前記電力ヘッドルーム情報を報告し、各範囲は異なる最小報告値および異なる最大報告値のうちの少なくとも１つを有する、方法。
【請求項８】
請求項１から７のいずれか１項に記載の方法であって、前記情報は、前記無線デバイスにサービスを提供するネットワークノードが前記カバレッジレベルを用いているかまたはサポートしているという指標、前記無線デバイスにサービスを提供するネットワークノードが前記カバレッジレベルをサポートしているという指標、前記無線デバイスにより送信または受信された信号の測定値、前記無線デバイスにより送信または受信された信号のレベルまた品質の測定値、ランダムアクセス送信をネットワークノードへ実行する前記無線デバイスに関連付けられたランダムアクセス設定、前記異なるカバレッジレベルをサポートするための前記無線デバイスの能力、および／または、前記無線デバイスの前記異なるカバレッジレベルの指標を含む、方法。
【請求項９】
請求項１から８のいずれか１項に記載の方法であって、前記電力ヘッドルーム報告マッピングを決定することは、１つ以上の所定の規則、ネットワークノードから前記無線デバイスにより受信された信号の測定値に関連付けられた所定の時間期間、１つ以上の所定の条件、無線デバイスによる使用に利用可能である異なる電力ヘッドルーム報告マッピングに関連付けられた１つ以上のリソース、および／または、前記電力ヘッドルーム報告マッピングを決定する際に前記無線デバイスを支援するためにネットワークノードによって提供されるデータに基づく、方法。
【請求項１０】
請求項１から９のいずれか１項に記載の方法であって、前記異なるカバレッジレベルは、１つ以上の通常のカバレッジレベルと１つ以上の拡張カバレッジレベルを含む、方法。
【請求項１１】
請求項１から１０のいずれか１項に記載の方法であって、前記無線デバイスは、ロングタームエヴォリューション（ＬＴＥ）カテゴリナローバンド１（ＬＴＥ Ｃａｔ ＮＢ１）デバイスとして動作することができ、決定された電力ヘッドルーム報告マッピングは前記ＬＴＥ Ｃａｔ ＮＢ１デバイスに対する電力ヘッドルーム報告マッピングを含む、方法。
【請求項１２】
無線通信システム（１００）における無線デバイス（１０５，２００，３００，４００，１０００）であって、前記無線デバイスは、
前記無線デバイスのカバレッジレベル（１１３ａ〜１１３ｄ）を示す情報を取得し、
前記無線デバイスの異なるカバレッジレベルそれぞれ関連付けられた異なる複数の電力ヘッドルーム報告マッピング（１１５ａ〜１１５ｄ）の中から、前記取得された情報により示される前記カバレッジレベルに関連付けられた電力ヘッドルーム報告マッピングを決定し、ここで、前記複数の電力ヘッドルーム報告マッピング（１１５ａ〜１１５ｄ）はそれぞれ、報告された値から、無線デバイスの公称最大出力電力と推定出力電力との間の差として定義される電力ヘッドルームの測定値へのマッピングを定義し、かつ、報告分解能および／または電力ヘッドルーム情報の報告範囲に関して互いに異なり、
前記決定された電力ヘッドルーム報告マッピングを用いて電力ヘッドルーム情報を報告するように構成される、無線デバイス。
【請求項１３】
請求項１２に記載の無線デバイスであって、更に請求項２から１１のいずれか１項に記載の前記方法を実行するように構成された無線デバイス。
【請求項１４】
無線通信システム（１００）におけるネットワークノード（１０１，６００，７００，８００）により実行される方法であって、
前記無線通信システムにおける無線デバイス（１０５，２００，３００，４００，１０００）のカバレッジレベル（１１３ａ〜１１３ｄ）を示す情報を取得すること（９０３）と、
前記無線デバイスの異なるカバレッジレベルそれぞれ関連付けられた異なる複数の電力ヘッドルーム報告マッピング（１１５ａ〜１１５ｄ）の中から、前記取得された情報により示される前記カバレッジレベルに関連付けられた電力ヘッドルーム報告マッピングを決定すること（９０５）を含み、前記複数の電力ヘッドルーム報告マッピング（１１５ａ〜１１５ｄ）はそれぞれ、報告された値から、無線デバイスの公称最大出力電力と推定出力電力との間の差として定義される電力ヘッドルームの測定値へのマッピングを定義し、かつ、報告分解能および／または電力ヘッドルーム情報の報告範囲に関して互いに異なる、方法。
【請求項１５】
請求項１４に記載の方法であって、更に、
前記無線デバイスに、前記決定された電力ヘッドルーム報告マッピングを送信すること（９０７）、および／または、
前記無線デバイスから、前記決定された報告設定を用いて電力ヘッドルーム情報を受信すること（９０９）、および／または、
前記電力ヘッドルーム情報に基づいて前記無線デバイスの１つ以上の動作パラメータを適合化すること（９１１）を含み、前記１つ以上の動作パラメータは、符号化率、変調方式、およびリソース割り当てのうちの少なくとも１つを含む、方法。
【請求項１６】
請求項１４または１５に記載の方法であって、更に、
前記無線デバイスから、前記無線デバイスによりサポートされる１つ以上のカバレッジレベルの指標を受信することを含み、前記情報は前記無線デバイスによりサポートされる前記１つ以上のカバレッジレベルを含み、
前記取得することは、前記無線デバイスによりサポートされる前記１つ以上のカバレッジレベルから前記カバレッジレベルを決定することを含む、方法。
【請求項１７】
請求項１４から１６のいずれか１項に記載の方法であって、前記決定することは、前記無線デバイスにより報告される１つ以上の測定報告に基づき、前記１つ以上の測定報告は、前記無線デバイスにより送信または受信された信号の測定に関連付けられ得る、方法。
【請求項１８】
請求項１４から１７のいずれか１項に記載の方法であって、前記異なる複数の電力ヘッドルーム報告マッピングは、異なる報告範囲で前記電力ヘッドルーム情報を報告し、各範囲は異なる最小報告値および異なる最大報告値のうちの少なくとも１つを有する、方法。
【請求項１９】
請求項１４から１８のいずれか１項に記載の方法であって、前記異なるカバレッジレベルは、１つ以上の通常のカバレッジレベルと１つ以上の拡張カバレッジレベルを含む、方法。
【請求項２０】
請求項１４から１９のいずれか１項に記載の方法であって、前記無線デバイスは、ロングタームエヴォリューション（ＬＴＥ）カテゴリナローバンド１（ＬＴＥ Ｃａｔ ＮＢ１）デバイスとして動作することができ、決定された電力ヘッドルーム報告マッピングは前記ＬＴＥ Ｃａｔ ＮＢ１デバイスに対する電力ヘッドルーム報告マッピングを含む、方法。
【請求項２１】
無線通信システムにおけるネットワークノードであって、前記ネットワークノードは、
前記無線通信システムにおける無線デバイスのカバレッジレベルを示す情報を取得し、
前記無線デバイスの異なるカバレッジレベルそれぞれ関連付けられた異なる複数の電力ヘッドルーム報告マッピングから、前記取得された情報により示される前記カバレッジレベルに関連付けられ電力ヘッドルーム報告マッピングを決定するように構成され、前記複数の電力ヘッドルーム報告マッピング（１１５ａ〜１１５ｄ）はそれぞれ、報告された値から、無線デバイスの公称最大出力電力と推定出力電力との間の差として定義される電力ヘッドルームの測定値へのマッピングを定義し、かつ、報告分解能および／または電力ヘッドルーム情報の報告範囲に関して互いに異なる、ネットワークノード。
【請求項２２】
請求項２１に記載のネットワークノードであって、更に請求項１４から２０のいずれか１項に記載の前記方法を実行するように構成されたネットワークノード。
【国際調査報告】
2019522928.tif 000031
2019522928.tif 000032
2019522928.tif 000033